(57)【要約】【課題】可動演出役物に対するロックの解除を促すこと。【解決手段】ぱちんこ遊技機は、画像表示部１０４と、可動演出役物１３２と、駆動モータ２０１と、検知部６０１と、駆動制御部６０２と、状態検出部６０３と、報知制御部６０４とを備える。駆動モータ２０１は、可動演出役物１３２を移動させるために駆動する。検知部６０１は、駆動モータ２０１の動作状態を検知する。駆動制御部６０２は、電源投入時に、駆動モータ２０１を駆動させて初期運転をおこなわせる。状態検出部６０３は、初期運転時における検知部６０１の検知結果に基づいて、駆動モータ２０１の動作状態を検出する。報知制御部６０４は、状態検出部６０３によって駆動モータ２０１が停止状態を保持していることが検出された場合、可動演出役物１３２がロックされている旨を報知させる。【選択図】図６
2010142513.tif 000002
【特許請求の範囲】
【請求項１】
遊技盤上に移動可能に設けられ、所定の演出をおこなう可動演出役物と、
前記可動演出役物を移動させるために駆動する駆動手段と、
前記駆動手段の動作状態を検知する検知手段と、
電源投入時に、前記駆動手段を駆動させて初期運転をおこなわせる駆動制御手段と、
前記初期運転時における前記検知手段の検知結果に基づいて、前記駆動手段の動作状態を検出する状態検出手段と、
前記状態検出手段によって前記駆動手段が停止状態を保持していることが検出された場合、前記可動演出役物がロックされている旨を報知させる報知制御手段と、
を備えることを特徴とする遊技機。
【請求項２】
前記可動演出役物は、前記駆動手段の原点位置に対応する位置にてロックされるものであり、
前記駆動制御手段は、前記駆動手段を前記原点位置から前記初期運転を開始させ、
前記状態検出手段は、前記初期運転時において前記検知手段によって前記原点位置が検出され続けた場合に前記駆動手段の停止を検出し、
前記報知制御手段は、前記状態検出手段によって前記駆動手段が停止状態を保持していることが検出された場合、前記可動演出役物がロックされている旨を報知させることを特徴とする請求項１に記載の遊技機。
【請求項３】
前記駆動制御手段は、前記初期運転時に異常がない場合、前記初期運転後の遊技可能な状態において、所定のタイミングにて前記駆動手段を駆動させる通常運転をおこなわせ、
前記状態検出手段は、前記通常運転時における前記検知手段の検知結果に基づいて、前記駆動手段の回転状態を検出し、
前記報知制御手段は、前記状態検出手段によって前記駆動手段が停止状態を保持していることが検出された場合、前記可動演出役物の機構部の異常を示す旨を報知させることを特徴とする請求項１または２に記載の遊技機。
【請求項４】
前記駆動制御手段は、前記状態検出手段によって前記駆動手段が停止状態を保持していることが検出された場合、以降の遊技において、前記駆動手段の駆動をおこなわないことを特徴とする請求項１〜３のいずれか一つに記載の遊技機。
【請求項５】
遊技盤上に移動可能に設けられ、所定の演出をおこなう可動演出役物と、
前記可動演出役物を移動させるために駆動する駆動部と、
前記駆動部の動作状態を検知する検知部と、
を備えた遊技機の状態報知方法であって、
電源投入時に、前記駆動部を駆動させて初期運転をおこなわせる駆動制御工程と、
前記初期運転時における前記検知部の検知結果に基づいて、前記駆動部の動作状態を検出する状態検出工程と、
前記状態検出工程にて前記駆動部が停止状態を保持していることが検出された場合、前記可動演出役物がロックされている旨を報知させる報知制御工程と、
を含むことを特徴とする状態報知方法。
【請求項６】
請求項５に記載の状態報知方法をコンピュータに実行させる状態報知プログラム。
【発明の詳細な説明】
【技術分野】
【０００１】
本発明は、盤面上を可動にして所定の演出をおこなう可動演出役物を備えた、ぱちんこ遊技機や回胴式遊技機などの遊技機、状態報知方法、および状態報知プログラムに関する。
【背景技術】
【０００２】
従来、遊技盤の遊技領域に打ち出した遊技球が特定の始動口に入ると、画像表示部に表示される３列の図柄（たとえば、１〜１２の数字の図柄など）が上から下に移動するように表示され、あるライン（有効ライン）上に同一あるいは関連性のある図柄が揃うと大当たりとなって、大入賞口が開き、大当たり遊技ができるぱちんこ遊技機が広く使用されている。
【０００３】
このようなぱちんこ遊技機では、画像表示部からの表示や、複数のランプを用いた点滅や点灯などによる演出のほか、いわゆる、ギミックと称される可動演出役物を点灯させたり動作させたりすることによる演出をおこなうものが知られている（たとえば、下記特許文献１参照）。
【０００４】
ここで、可動演出役物は、ぱちんこ遊技機の搬送時には係止片などのストッパによってロックされている。これにより、搬送時において可動演出役物が動いてしまうことを防止し、遊技盤や可動演出役物の破損などを抑止するほか、可動演出役物を駆動させる駆動モータの故障を抑止している。
【０００５】
【特許文献１】特開２００７−３１９３７４号公報
【発明の開示】
【発明が解決しようとする課題】
【０００６】
しかしながら、上記の従来技術では、遊技店での営業開始時に、店員が可動演出役物のロックを解除し忘れてしまうという不具合があった。このような不具合があると、演出画面と同期させて可動演出役物を動作させる演出をおこなう場合に、可動演出役物が動作せずに固定状態を保持することとなるため、遊技機本来の演出をおこなうことができなくなるばかりか、駆動モータに過負荷がかかり、駆動モータの故障を招くといった問題があった。
【０００７】
本発明は、上記の従来技術による問題点を解消するため、可動演出役物に対するロックの解除を促し、可動演出役物を用いた遊技機本来の演出をおこなうことができるとともに、駆動モータの故障を抑止することができる遊技機を提供することを目的とする。
【課題を解決するための手段】
【０００８】
上述した課題を解決し、目的を達成するため、本発明は以下の構成を採用した。括弧内の参照符号は、本発明の理解を容易にするために実施形態との対応関係を示したものであって、本発明の範囲を何ら限定するものではない。本発明にかかる遊技機（１００）は、遊技盤（１０１）上に移動可能に設けられ、所定の演出をおこなう可動演出役物（１３２）と、前記可動演出役物（１３２）を移動させるために駆動する駆動手段（２０１）と、前記駆動手段（２０１）の動作状態を検知する検知手段（２３０，６０１）と、電源投入時に、前記駆動手段（２０１）を駆動させて初期運転をおこなわせる駆動制御手段（６０２）と、前記初期運転時における前記検知手段（２３０，６０１）の検知結果に基づいて、前記駆動手段（２０１）の動作状態を検出する状態検出手段（６０３）と、前記状態検出手段（６０３）によって前記駆動手段（２０１）が停止状態を保持していることが検出された場合、前記可動演出役物（１３２）がロックされている旨を報知させる報知制御手段（６０４）と、を備えることを特徴とする。
【０００９】
この発明によれば、駆動手段（２０１）が停止状態を保持している場合に、異常時の原因として可動演出役物（１３２）がロックされている旨を報知し、当該ロックの解除を促すことができる。
【００１０】
また、上記発明において、前記可動演出役物（１３２）は、前記駆動手段（２０１）の原点位置に対応する位置にてロックされるものであり、前記駆動制御手段（６０２）は、前記駆動手段（２０１）を前記原点位置から前記初期運転を開始させ、前記状態検出手段（６０３）は、前記初期運転時において前記検知手段（２３０，６０１）によって前記原点位置が検出され続けた場合に前記駆動手段（２０１）の停止を検出し、前記報知制御手段（６０４）は、前記状態検出手段（６０３）によって前記駆動手段（２０１）が停止状態を保持していることが検出された場合、前記可動演出役物（１３２）がロックされている旨を報知させることとしてもよい。
【００１１】
この発明によれば、初期運転時に駆動手段（２０１）が原点位置にて停止状態を保持している場合に、異常時の原因として可動演出役物（１３２）がロックされている旨を報知し、当該ロックの解除を促すことができる。
【００１２】
また、上記発明において、前記駆動制御手段（６０２）は、前記初期運転時に異常がない場合、前記初期運転後の遊技可能な状態において、所定のタイミングにて前記駆動手段（２０１）を駆動させる通常運転をおこなわせ、前記状態検出手段（６０３）は、前記通常運転時における前記検知手段（２３０，６０１）の検知結果に基づいて、前記駆動手段（２０１）の回転状態を検出し、前記報知制御手段（６０４）は、前記状態検出手段（６０３）によって前記駆動手段（２０１）が停止状態を保持していることが検出された場合、前記可動演出役物（１３２）の機構部の異常を示す旨を報知させることとしてもよい。
【００１３】
この発明によれば、演出動作時や動作確認時に、駆動手段（２０１）が原点位置にて停止状態を保持している場合に、異常時の原因として駆動手段（２０１）の異常や構造上の異常を報知し、メンテナンスを促すことができる。
【００１４】
また、上記発明において、前記駆動制御手段（６０２）は、前記状態検出手段（６０３）によって前記駆動手段（２０１）が停止状態を保持していることが検出された場合、以降の遊技において、前記駆動手段（２０１）の駆動をおこなわないこととしてもよい。
【００１５】
この発明によれば、駆動手段（２０１）が停止状態を保持している場合に、駆動手段（２０１）の駆動を停止させ、駆動手段（２０１）への過負荷を抑止することができる。
【００１６】
また、本発明にかかる状態報知方法は、遊技盤（１０１）上に移動可能に設けられ、所定の演出をおこなう可動演出役物（１３２）と、前記可動演出役物（１３２）を移動させるために駆動する駆動部（２０１）と、前記駆動部（２０１）の動作状態を検知する検知部（２３０，６０１）と、を備えた遊技機（１００）の状態報知方法であって、電源投入時に、前記駆動部（２０１）を駆動させて初期運転をおこなわせる駆動制御工程（６０２）と、前記初期運転時における前記検知部（２３０，６０１）の検知結果に基づいて、前記駆動部（２０１）の動作状態を検出する状態検出工程（６０３）と、前記状態検出工程（６０３）にて前記駆動部（２０１）が停止状態を保持していることが検出された場合、前記可動演出役物（１３２）がロックされている旨を報知させる報知制御工程（６０４）と、を含むことを特徴とする。
【００１７】
また、本発明にかかる状態報知プログラムは、上記の状態報知方法をコンピュータに実行させることを特徴とする。
【００１８】
これらの発明によれば、駆動手段（２０１）が停止状態を保持している場合に、異常時の原因として可動演出役物（１３２）に対するロックを報知し、当該ロックの解除を促すことができる。
【発明の効果】
【００１９】
本発明によれば、駆動手段が停止状態を保持している場合に、異常時の原因として可動演出役物がロックされている旨を報知した。したがって、ロックがかかっている場合には、電源投入直後に当該ロックの解除を促すことができるとともに、遊技機本来の演出をおこなうことができ、さらに駆動モータの故障を抑止することができるという効果を奏する。
【発明を実施するための最良の形態】
【００２０】
以下に、添付図面を参照して、本発明にかかる遊技機、状態報知方法、および状態報知プログラムの好適な実施の形態を詳細に説明する。
【００２１】
（実施の形態）
（ぱちんこ遊技機の基本構成）
まず、実施の形態にかかるぱちんこ遊技機の基本構成について説明する。図１は、実施の形態にかかるぱちんこ遊技機の一例を示す正面図である。図１に示すように、実施の形態のぱちんこ遊技機１００は、遊技盤１０１を備えている。遊技盤１０１の下部位置には、発射部（図５中符号５９２参照）が配置されている。発射部の駆動によって発射された遊技球は、レール１０２ａ，１０２ｂ間を上昇して遊技盤１０１の上部位置に達したあと、遊技領域１０３内を落下する。
【００２２】
遊技領域１０３には、複数の釘（不図示）が設けられており、この釘によって遊技球は不特定な方向に向けて落下する。また、遊技領域１０３において遊技球の落下途中となる位置には、遊技球の落下方向を変化させる風車や各種入賞口（始動口や大入賞口など）が配設されている。
【００２３】
遊技盤１０１の略中央部分には、画像表示部１０４が配置されている。画像表示部１０４としては液晶表示器（ＬＣＤ）などが用いられる。画像表示部１０４の下方には、第１始動口１０５と、第２始動口１０６とが配設されている。第１始動口１０５、第２始動口１０６は、始動入賞させるための入賞口である。なお、第２始動口１０６は、本発明の始動口に相当する。
【００２４】
第２始動口１０６の近傍には、電動役物としての電動チューリップ１０７が設けられている。電動チューリップ１０７は、遊技球を第２始動口１０６へ入賞し難くさせる閉状態（閉口された状態）と、閉状態よりも入賞し易くさせる開状態（開放された状態）とを有する。これらの状態の制御は、電動チューリップ１０７が備えるソレノイド（図５中符号５３１参照）によっておこなわれる。
【００２５】
電動チューリップ１０７は、画像表示部１０４の左側に配設されたゲート１０８を遊技球が通過したことによりおこなわれる普通図柄抽選の抽選結果に基づいて開放される。なお、ゲート１０８は、画像表示部１０４の左側（図示の位置）に限らず、遊技領域１０３内の任意の位置に配設してもよい。
【００２６】
第２始動口１０６の下方には、大入賞口１０９が設けられている。大入賞口１０９は、大当たり状態となったときに開放して、遊技球が入賞することにより所定個数（たとえば１５個）の賞球を払い出すための入賞口である。
【００２７】
画像表示部１０４の側部や下方などには普通入賞口１１０が配設されている。普通入賞口１１０は、遊技球の入賞により所定個数（たとえば１０個）の賞球を払い出すための入賞口である。普通入賞口１１０は、図示の位置に限らず、遊技領域１０３内の任意の位置に配設してもよい。遊技領域１０３の最下部には、いずれの入賞口にも入賞しなかった遊技球を回収する回収口１１１が設けられている。
【００２８】
遊技盤１０１の右下部分には、特別図柄が表示される特別図柄表示部１１２が配置されている。特別図柄表示部１１２は、第１特別図柄（以下「特図１」という）が表示される第１特別図柄表示部（図５中符号１１２ａ参照）と、第２特別図柄（以下「特図２」という）が表示される第２特別図柄表示部（図５中符号１１２ｂ参照）とを有する。
【００２９】
ここで、特図１は、遊技球が第１始動口１０５へ入賞することによりおこなう第１大当たり抽選の抽選結果をあらわす図柄である。特図２は、遊技球が第２始動口１０６へ入賞することによりおこなう第２大当たり抽選の抽選結果をあらわす図柄である。第１大当たり抽選および第２大当たり抽選は、遊技状態を大当たり状態とするか否かの抽選である。
【００３０】
また、遊技盤１０１の右下部分には、普通図柄が表示される普通図柄表示部１１３が配置されている。ここで、普通図柄は、普通図柄抽選の抽選結果をあらわすものである。普通図柄抽選は、前述のように電動チューリップ１０７を開状態（長開放または短開放）とするか否かの抽選である。普通図柄表示部１１３は、たとえば、７セグメントディスプレイからなる。
【００３１】
特別図柄表示部１１２および普通図柄表示部１１３の左側には、特別図柄または普通図柄に対する保留数を表示する保留球表示部１１４が配置されている。たとえば、保留球表示部１１４としてはＬＥＤが用いられる。この保留球表示部１１４としてのＬＥＤは複数配置され、点灯／消灯によって保留数をあらわす。たとえば、保留球表示部１１４を構成するＬＥＤのうちの、上段のＬＥＤが２個点灯している場合には、普通図柄に対する保留数は２であることをあらわす。
【００３２】
遊技盤１０１の遊技領域１０３の外周部分には、枠部材１１５が設けられている。枠部材１１５において遊技領域１０３の上側および下側となる２辺には、演出ライト部（枠ランプ）１１６が設けられている。演出ライト部１１６は、それぞれ複数のランプを有する。各ランプは、ぱちんこ遊技機１００の正面にいる遊技者を照射し、その照射位置が遊技者の頭上から腹部に沿って移動するように、光の照射方向を上下方向に変更することができる。各ランプは、演出ライト部１１６に設けられた不図示のモータによって、光の照射方向を上下方向に変更するように駆動される。
【００３３】
枠部材１１５の下部位置には、操作ハンドル１１７が配置されている。操作ハンドル１１７は、上記の発射部を駆動させて遊技球を発射させる発射指示部材１１８を備えている。発射指示部材１１８は、操作ハンドル１１７の外周部において、遊技者から見て右回りに回転可能に設けられている。発射部は、発射指示部材１１８が遊技者によって直接操作されている場合に、遊技球を発射させる。
【００３４】
枠部材１１５において、遊技領域１０３の下側となる辺には、遊技者による操作を受け付ける演出ボタン（チャンスボタン）１１９が設けられている。また、枠部材１１５において、演出ボタン１１９の隣には、十字キー１２０が設けられている。これら演出ボタン１１９および十字キー１２０は、ぱちんこ遊技機１００において遊技者からの操作を受け付ける操作部を構成している。また、枠部材１１５には、音声を出力するスピーカ（図５中符号５５４参照）が組み込まれている。
【００３５】
画像表示部１０４の側部には、演出役物１３０が配設されている。演出役物１３０は、固定演出役物１３１と、可動演出役物１３２とからなる。固定演出役物１３１は、遊技盤１０１上に、盤面に対して平行方向の移動を固定して設けられている。なお、詳細については後述するが、固定演出役物１３１は、盤面に対して垂直方向に押入操作が可能になっており、具体的には、押入された位置にて可動演出役物１３２をロックできるようになっている。
【００３６】
可動演出役物１３２は、駆動モータを有し、遊技盤１０１上に、盤面に沿って移動可能になっており、発光および移動することによって、演出をおこなう。なお、図示を省略するが、遊技領域１０３内の所定位置（たとえば画像表示部１０４の周囲）には演出用の他の役物が設けられている。
【００３７】
（演出役物の構成）
次に、図２−１〜図３−３を用いて、本実施の形態にかかるぱちんこ遊技機１００の演出役物１３０の構成について説明する。図２−１は、演出役物１３０の分解斜視図である。図２−１において、演出役物１３０は、駆動系２００と、演出系２１０と、ストッパ２２０とからなる。
【００３８】
駆動系２００は、駆動モータ２０１と、駆動伝達軸２０２と、駆動ギア２０３と、従動ギア２０４とからなる。駆動モータ２０１は、電気エネルギーを機械エネルギーに変換し、駆動伝達軸２０２を回転させる。なお、駆動モータ２０１は、内部のパルスジェネレータにより回転に応じたパルスを出力することも可能である。駆動ギア２０３は、駆動モータ２０１から駆動伝達軸２０２を介して伝達された回転力によって駆動回転する。従動ギア２０４は、駆動ギア２０３と歯合連結し、駆動ギア２０３の回転力によって従動回転する。
【００３９】
なお、駆動ギア２０３は、筒部２０５に接合している。筒部２０５には、原点位置としてのスリット２０６が設けられ、スリット２０６がフォトセンサ２３０によって検知されるようになっている。なお、可動演出役物１３２が退避しているときに、スリット２０６がフォトセンサ２３０に対向するようになっている。駆動モータ２０１は、本発明の駆動手段に相当する。
【００４０】
演出系２１０は、固定演出役物１３１と、可動演出役物１３２とからなる。固定演出役物１３１は、ストッパ２２０に連結しており、操作者からの操作によって、ストッパ２２０とともに、遊技盤１０１に対して垂直方向（図２−２中Ａ方向）に、スライドして移動することが可能になっている。また、固定演出役物１３１は、ランプを備え、所定の演出時に発光する。
【００４１】
可動演出役物１３２は、大中小３つのランプが連なって構成されたものであり、上部のランプには従動ギア２０４に連結する連結部２１１が設けられている。可動演出役物１３２は、従動ギア２０４の回転により、連結部２１１を支点として回動するようになっている。可動演出役物１３２は、所定の演出時に、回動するとともに、各ランプが発光するようになっている。
【００４２】
ストッパ２２０は、一端に、固定演出役物１３１に接合する突起部２２１を備えている。ストッパ２２０は、ガイドレール３０２（図３−１および図３−３参照）に摺動する摺動溝２２２を備え、ガイドレール３０２に沿ってスライド自在になっている。なお、ガイドレール３０２および摺動溝２２２によって、スライド機構が構成されている。また、ストッパ２２０は、ガイドレール３０２の反対側に係止部３０１（図３−１および図３−２参照）を備え、固定演出役物１３１が押入された押入位置にて係止部３０１が駆動ギア２０３に係止することにより、可動演出役物１３２をロックするようになっている。
【００４３】
なお、可動演出役物１３２は動作しないときには退避した位置に位置するものであるため、ストッパ２２０は、可動演出役物１３２が退避した位置にて、可動演出役物１３２をロックするようになっている。より詳細には、ストッパ２２０は、スリット２０６がフォトセンサ２３０に対向する駆動モータ２０１の原点位置にて、可動演出役物１３２に対するロックをおこなうようになっている。
【００４４】
なお、本実施の形態においては、ストッパ２２０を固定演出役物１３１に連結したものを用いているが、これに限られるものではなく、ストッパ２２０と固定演出役物１３１とを別々に設け、遊技盤１０１上に設けられたストッパ２２０を単体で押入位置または引出位置にスライド自在としたものを用いてもよい。また、ストッパ２２０は、少なくとも、可動演出役物１３２をロックすることが可能なものであればよく、たとえば、可動演出役物１３２そのものをロックするものでもよいし、従動ギア２０４に係止することにより、可動演出役物１３２をロックするものでもよい。
【００４５】
フォトセンサ２３０は、発光素子および受光素子を備え、駆動ギア２０３の原点位置を検知するためのものである。フォトセンサ２３０は、駆動ギア２０３の原点位置に相当するスリット２０６の検知、および遮蔽物として筒部２０５の壁面を検知する。すなわち、フォトセンサ２３０は、駆動モータ２０１の回転状態または原点位置を検知するものであり、本発明の検知手段に相当する。
【００４６】
図２−２は、演出役物１３０の組立斜視図である。図２−２において、演出役物１３０は、固定演出役物１３１が押入された状態、すなわち、可動演出役物１３２がロックされている状態を示している。たとえば、ぱちんこ遊技機１００が遊技店に納品される際には、可動演出役物１３２はこのようにロックされた状態になっている。可動演出役物１３２がロックされている状態の詳細について、図３−１および図３−２を用いて説明する。
【００４７】
図３−１は、可動演出役物１３２がロックされている状態を示した断面図である。図３−２は、図３−１のＢ方向から見た駆動ギア２０３の正面図である。図３−１において、固定演出役物１３１およびストッパ２２０は押入されている。具体的には、固定演出役物１３１が引き出されている状態から、店員または製造現場の作業員などの操作者が固定演出役物１３１にＣ方向の力を作用させると、ストッパ２２０がガイドレール３０２に沿ってスライドすることにより、固定演出役物１３１が押入された状態を示している。このとき、ストッパ２２０の下方に設けられている係止部３０１が駆動ギア２０３に係止する（図３−２参照）。これにより、可動演出役物１３２がロックされる。なお、係止部３０１が駆動ギア２０３に係止する位置は、可動演出役物１３２が退避した位置、すなわちスリット２０６がフォトセンサ２３０に対向する位置に相当する。
【００４８】
図３−３は、可動演出役物１３２がロックされていない状態を示した断面図である。図３−３において、固定演出役物１３１は引き出された状態にある。具体的には、図３−１に示した状態から、操作者が固定演出役物１３１にＤ方向の力を作用させると、ストッパ２２０がガイドレール３０２に沿ってスライドする。このとき、ストッパ２２０に設けられている係止部３０１が駆動ギア２０３から離脱する。これにより、可動演出役物１３２のロックが解除されることになる。
【００４９】
なお、引き出された固定演出役物１３１が、ぱちんこ遊技機１００の振動などによって、再びロック位置に押入されることを防止するために、たとえば、引出位置にて固定演出役物１３１を遊技盤１０１に係止させるようにしてもよい。具体的には、固定演出役物１３１に係止孔を設けるとともに、引出位置にて操作者の操作により固定演出役物１３１を所定角度回転させることによって係止孔に係止する係止突起を遊技盤１０１に設けるようにすればよい。なお、この場合、固定演出役物１３１を係止した位置において、固定演出役物１３１の星形を示すランプの頂点が上方に位置するように、係止孔および係止突起をそれぞれ位置決めしておくようにすれば、違和感なく固定演出役物１３１を固定させることができる。
【００５０】
（演出役物の動作）
次に、図４−１および図４−２を用いて、本実施の形態にかかるぱちんこ遊技機１００の演出役物１３０の動作について説明する。図４−１は、通常時における演出役物１３０の状態を示した説明図である。図４−１において、演出役物１３０は、画像表示部１０４に対して退避した位置にあり、可動演出役物１３２が静止した状態となっている。
【００５１】
図４−２は、演出時に可動演出役物１３２が移動した際の演出役物１３０の状態を示した説明図である。図４−２において、演出役物１３０は、駆動ギア２０３が反時計回りに駆動回転するとともに、従動ギア２０４が時計回りに従動回転することにより、可動演出役物１３２が連結部２１１を支点に時計回りに回動した状態となっている。このとき、たとえば、固定演出役物１３１や可動演出役物１３２は、所定の演出として、それぞれランプが点灯するようになっている。なお、可動演出役物１３２の最下端のランプのみを、別途設けた駆動部に連結させることにより、最下端のランプのみを単独で回転させたりしてもよい。
【００５２】
（ぱちんこ遊技機の制御部の内部構成）
次に、図５を用いて、実施の形態にかかるぱちんこ遊技機１００の制御部の内部構成について説明する。図５は、実施の形態にかかるぱちんこ遊技機１００の制御部の内部構成を示すブロック図である。図５に示すように、ぱちんこ遊技機１００の制御部５００は、遊技の進行を制御する主制御部５０１と、演出内容を制御する演出制御部５０２と、賞球の払い出しを制御する賞球制御部５０３とを備えている。以下にそれぞれの制御部の構成について詳細に説明する。
【００５３】
（１．主制御部）
主制御部５０１は、ＣＰＵ（Ｃｅｎｔｒａｌ  Ｐｒｏｃｅｓｓｉｎｇ  Ｕｎｉｔ）５１１と、ＲＯＭ（Ｒｅａｄ  Ｏｎｌｙ  Ｍｅｍｏｒｙ）５１２と、ＲＡＭ（Ｒａｎｄｏｍ  Ａｃｃｅｓｓ  Ｍｅｍｏｒｙ）５１３と、不図示の入出力インターフェース（Ｉ／Ｏ）などを備えて構成される。
【００５４】
主制御部５０１は、ＣＰＵ５１１がＲＡＭ５１３をワークエリアとして使用しながら、ＲＯＭ５１２に記憶された各種プログラムを実行することによって、ぱちんこ遊技機１００の遊技の進行を制御するように機能する。具体的には、主制御部５０１は、大当たり抽選（第１大当たり抽選、第２大当たり抽選）、普通図柄抽選、遊技状態の制御などをおこない、遊技の進行を制御する。たとえば、主制御部５０１は、主制御基板によって実現される。
【００５５】
ＣＰＵ５１１は、予めＲＯＭ５１２に記憶された各種プログラムに基づき、遊技内容の進行に伴う基本処理を実行する。ＲＯＭ５１２には、大当たり抽選プログラム、普通図柄抽選プログラム、電動チューリップ制御プログラム、大入賞口制御プログラム、などが記憶されている。
【００５６】
大当たり抽選プログラムは、第１始動口ＳＷ５２１または第２始動口ＳＷ５２２によって遊技球が検出されることにより、大当たり抽選をおこなうプログラムである。普通図柄抽選プログラムは、ゲート１０８への遊技球の通過を検出すると、電動チューリップ１０７を、当たり（開放）、または、ハズレ（閉状態を保持）とする普通図柄抽選をおこなうプログラムである。電動チューリップ制御プログラムは、通常時では電動チューリップ１０７を閉状態としておく一方、普通図柄抽選の抽選結果に基づいて、所定期間、電動チューリップ１０７を開放状態にするプログラムである。大入賞口制御プログラムは、大当たり時に、所定ラウンド数、大入賞口１０９を開放させるプログラムである。
【００５７】
主制御部５０１には、遊技球を検出する各種スイッチ（ＳＷ）、電動チューリップ１０７や、大入賞口１０９などの電動役物を開閉動作させるためのソレノイド、上記の第１特別図柄表示部１１２ａ、第２特別図柄表示部１１２ｂ、普通図柄表示部１１３、保留球表示部１１４などが接続される。
【００５８】
具体的に、上記の各種ＳＷとしては、第１始動口１０５へ入賞した遊技球を検出する第１始動口ＳＷ５２１と、第２始動口１０６へ入賞した遊技球を検出する第２始動口ＳＷ５２２と、ゲート１０８を通過した遊技球を検出するゲートＳＷ５２３と、大入賞口１０９へ入賞した遊技球を検出する大入賞口ＳＷ５２４と、普通入賞口１１０へ入賞した遊技球を検出する普通入賞口ＳＷ５２５とが主制御部５０１に接続される。
【００５９】
それぞれのＳＷ（５２１〜５２５）による検出結果は主制御部５０１へ入力される。これらのＳＷには、近接スイッチなどを用いることができる。なお、普通入賞口ＳＷ５２５は、普通入賞口１１０の配置位置別に複数個設けてもよい。
【００６０】
また、上記のソレノイドとしては、電動チューリップ１０７を開閉動作させる電動チューリップソレノイド５３１と、大入賞口１０９を開閉動作させる大入賞口ソレノイド５３２とが主制御部５０１に接続される。主制御部５０１は、それぞれのソレノイド（５３１，５３２）に対する駆動を制御する。たとえば、主制御部５０１は、普通図柄抽選の抽選結果に基づいて電動チューリップソレノイド５３１の駆動を制御する。また、主制御部５０１は、大当たり抽選の抽選結果に基づいて大入賞口ソレノイド５３２の駆動を制御する。
【００６１】
主制御部５０１は、大当たり抽選（第１大当たり抽選、第２大当たり抽選）、普通図柄抽選の抽選結果に基づいて、第１特別図柄表示部１１２ａ、第２特別図柄表示部１１２ｂ、普通図柄表示部１１３の表示内容を制御する。たとえば、主制御部５０１は、第１大当たり抽選をおこなうと第１特別図柄表示部１１２ａの特図１を変動表示させる。そして、所定期間経過後に、第１大当たり抽選の抽選結果を示す図柄にて特図１を停止表示させる。
【００６２】
同様に、主制御部５０１は、第２大当たり抽選をおこなうと第２特別図柄表示部１１２ｂの特図２を変動／停止表示させ、また、普通図柄抽選をおこなうと普通図柄表示部１１３の普通図柄を、変動／停止表示させる。
【００６３】
さらに、主制御部５０１は、演出制御部５０２および賞球制御部５０３にも接続され、それぞれの制御部に対して各種コマンドを出力する。たとえば、主制御部５０１は、演出制御部５０２に対しては変動開始コマンド、大当たり開始コマンドなどを出力する。ここで、変動開始コマンドは、遊技状態を示す情報や特別図柄を変動表示させる時間（以下「変動時間」という）を示す情報などを含む。また、主制御部５０１は、賞球制御部５０３に対しては賞球コマンドを出力する。ここで、賞球コマンドには、払い出させる賞球の個数を示す情報などが含まれている。
【００６４】
主制御部５０１は、実行中の遊技状態を示す情報を演出制御部５０２にコマンド出力する。この場合、演出制御部５０２によって、実行中の遊技状態に応じた演出（たとえば図柄変動や可動役物の制御）がなされる。また、主制御部５０１は、第１始動口１０５または第２始動口１０６に対する１回の入賞があると、１回の図柄変動にかける変動時間を示す情報を演出制御部５０２に対してコマンド出力する。
【００６５】
（２．演出制御部）
演出制御部５０２は、演出統括部５０２ａと、画像・音声制御部５０２ｂと、ランプ制御部５０２ｃとによって構成され、ぱちんこ遊技機１００の演出内容を制御する機能を有する。
【００６６】
演出統括部５０２ａは、主制御部５０１から受信した各種コマンド（たとえば変動開始コマンド）に基づいて演出制御部５０２全体を統括する機能を有している。画像・音声制御部５０２ｂは、演出統括部５０２ａからの指示内容に基づいて画像および音声の制御をおこなう機能を有している。また、ランプ制御部５０２ｃは、遊技盤１０１に設けられた演出役物１３０のランプの点灯、枠部材１１５などに設けられたランプの点灯、可動演出役物１３２の動作などを制御する機能を有している。
【００６７】
（２−１．演出統括部）
まず、演出統括部５０２ａの構成について説明する。演出統括部５０２ａは、ＣＰＵ５４１と、ＲＯＭ５４２と、ＲＡＭ５４３と、リアルタイムクロック（以下「ＲＴＣ」という）５４４と、不図示の入出力インターフェース（Ｉ／Ｏ）などを備えて構成される。
【００６８】
ＣＰＵ５４１は、実行する演出を選択する演出パターン選択処理などを実行する。ＲＯＭ５４２には、ＣＰＵ５４１が上記の処理を実行するために必要となる各種プログラムなどが記憶されている。ＲＡＭ５４３は、ＣＰＵ５４１のワークエリアとして機能する。ＣＰＵ５４１が各種プログラムを実行することによりＲＡＭ５４３にセットされたデータは、所定のタイミングで画像・音声制御部５０２ｂおよびランプ制御部５０２ｃに対して出力される。
【００６９】
ＣＰＵ５４１は、予めＲＯＭ５４２に記憶された各種プログラムに基づき、演出内容に関する処理を実行する。ＲＯＭ５４２には、演出統括プログラム、状態報知プログラム、演出制御プログラム、などが記憶されている。演出統括プログラムは、変動開始コマンドに基づいて、特別図柄の変動表示に合わせて実行する演出内容を決定し、画像・音声制御部５０２ｂ、ランプ制御部５０２ｃに所定の処理を実行するように指示出力して、演出制御部５０２全体を統括するプログラムである。
【００７０】
状態報知プログラムは、ランプ制御部５０２ｃを制御することにより、フォトセンサ２３０による検知結果を用いて、駆動モータ２０１を駆動させるとともに、フォトセンサ２３０による駆動モータ２０１の原点位置の検出結果に基づいて、可動演出役物１３２に関する状態（ロックやモータ異常）を報知させるプログラムである。
【００７１】
演出制御プログラムは、画像・音声制御部５０２ｂによる画面演出と、ランプ制御部５０２ｃによる演出役物１３０のランプ演出や動作演出とを同期させ、同期させた役物併用演出データを用いて演出をおこなうプログラムである。また、演出制御プログラムは、電源投入時や遊技時の所定のタイミングにて、ランプ制御部５０２ｃに対して、駆動モータ２０１の駆動をおこなわせ、フォトセンサ２３０によって検出された駆動モータ２０１の回転状態や原点位置の検知結果に基づいて、役物併用演出データを用いずに、当該役物併用演出データに替わる代替演出データを用いた演出をおこなわせるプログラムを含む。
【００７２】
ＲＴＣ５４４は、実時間を計時出力する。ＲＴＣ５４４は、ぱちんこ遊技機１００の電源が遮断されているときもバックアップ電源（不図示）により計時動作を継続する。なお、ＲＴＣ５４４は、演出統括部５０２ａなど演出制御部５０２内に配置する例に限らず、主制御部５０１に配置してもよい。また、ＲＴＣ５４４は、単独で配置してもよい。
【００７３】
また、演出統括部５０２ａには、演出ボタン１１９が接続されている。たとえば、演出ボタン１１９は、遊技者から操作を受け付けると、対応するデータを演出統括部５０２ａへ入力する。また、図５において図示は省略するが、十字キー１２０も演出統括部５０２ａに接続されている。十字キー１２０は、遊技者によって選択されたキーに対応するデータを演出統括部５０２ａへ入力する。
【００７４】
さらに、演出統括部５０２ａには、開閉扉ＳＷ５４５が接続されている。開閉扉ＳＷ５４５は、遊技盤１０１前面の開閉扉の開放状態を検出するスイッチであり、開閉扉が開放された際にＯＮになる。開閉扉ＳＷ５４５がＯＮになると、演出統括部５０２ａは、画像・音声制御部５０２ｂに対し、スピーカ５５４から扉が開いている旨の報知をおこなわせる。
【００７５】
（２−２．画像・音声制御部）
次に、画像・音声制御部５０２ｂの構成について説明する。画像・音声制御部５０２ｂは、ＣＰＵ５５１と、ＲＯＭ５５２と、ＲＡＭ５５３と、不図示の入出力インターフェース（Ｉ／Ｏ）などを備えて構成される。
【００７６】
ＣＰＵ５５１は、画像および音声の生成および出力処理を実行する。ＲＯＭ５５２には、画像および音声の生成および出力処理のためのプログラム、当該処理に必要となる背景画像・図柄画像・キャラクタ画像など各種画像データや各種音声データなどが記憶されている。ＲＡＭ５５３は、ＣＰＵ５５１のワークエリアとして機能し、画像表示部１０４に表示させる画像データやスピーカ５５４から出力させる音声データが一時的に格納される。
【００７７】
すなわち、画像・音声制御部５０２ｂは、ＣＰＵ５５１がＲＡＭ５５３をワークエリアとして使用しながら、ＲＯＭ５５２に記憶された各種プログラムを実行することによって、演出統括部５０２ａからの指示に基づいて画像および音声の制御をおこなうように機能する。
【００７８】
たとえば、ＣＰＵ５５１は、演出統括部５０２ａから指示された指示内容に基づいて、背景画像表示処理、演出図柄変動／停止表示処理、キャラクタ画像表示処理など各種画像処理と音声処理を実行する。このときには、ＣＰＵ５５１は、処理に必要な画像データおよび音声データをＲＯＭ５５２から読み出してＲＡＭ５５３に書き込む。
【００７９】
ＲＡＭ５５３に書き込まれた背景画像や演出図柄画像などの画像データは、画像・音声制御部５０２ｂに接続された画像表示部１０４に対して出力され、画像表示部１０４の表示画面上において重畳表示される。すなわち、演出図柄画像は、背景画像よりも手前に見えるように表示される。なお、同一位置に背景画像と図柄画像が重なる場合などには、Ｚバッファ法など周知の陰面消去法により各画像データのＺバッファのＺ値を参照することで、図柄画像を優先してＲＡＭ５５３に記憶させる。
【００８０】
また、ＲＡＭ５５３に書き込まれた音声データは、画像・音声制御部５０２ｂに接続されたスピーカ５５４に対して出力され、音声データに基づく音声がスピーカ５５４から出力される。
【００８１】
（２−３．ランプ制御部）
次に、ランプ制御部５０２ｃの構成について説明する。ランプ制御部５０２ｃは、ＣＰＵ５６１と、ＲＯＭ５６２と、ＲＡＭ５６３と、不図示の入出力インターフェース（Ｉ／Ｏ）などを備えて構成される。ＣＰＵ５６１は、ランプを点灯させる処理などを実行する。ＲＯＭ５６２には、上記の処理を実行するために必要となる各種プログラム、当該処理に必要となるランプ点灯に用いる制御データなどが記憶されている。ＲＡＭ５６３は、ＣＰＵ５６１のワークエリアとして機能する。
【００８２】
ランプ制御部５０２ｃは、演出ライト部（枠ランプ）１１６と、盤ランプ５６４と演出役物ランプ５６５と接続され、点灯制御するデータを出力する。これにより、ランプ制御部５０２ｃは、遊技盤１０１および枠部材１１５などに設けられたランプの点灯や、演出役物ランプ５６５の点灯や動作を制御するように機能する。
【００８３】
また、ランプ制御部５０２ｃは、駆動モータ２０１とフォトセンサ２３０とに接続され、起動時に所定量、駆動モータ２０１を回転させ、フォトセンサ２３０に原点位置の検知を開始させるとともに、フォトセンサ２３０による原点位置の検知結果に基づいて、駆動モータ２０１に動作制御するデータを出力する。
【００８４】
なお、本実施の形態では、フォトセンサ２３０によって駆動モータ２０１の回転状態を検知するようにしているが、駆動モータ２０１のパルスジェネレータから出力されるパルスを基に駆動モータ２０１の回転状態を検知することも可能である。
【００８５】
本実施の形態では、演出制御部５０２は、演出統括部５０２ａと画像・音声制御部５０２ｂとランプ制御部５０２ｃとがそれぞれ異なる基板機能として設けられるが、これらは同じプリント基板上に組み込んで構成してもよい。ただし、同じプリント基板上に組み込まれた場合であってもそれぞれの機能は独立しているものとする。
【００８６】
（３．賞球制御部）
次に、賞球制御部５０３の構成について説明する。賞球制御部５０３は、ＣＰＵ５８１と、ＲＯＭ５８２と、ＲＡＭ５８３と、不図示の入出力インターフェース（Ｉ／Ｏ）などを備えて構成される。ＣＰＵ５８１は、払い出す賞球を制御する賞球制御処理を実行する。ＲＯＭ５８２には、当該処理に必要となる賞球プログラムなどが記憶されている。ＲＡＭ５８３は、ＣＰＵ５８１のワークエリアとして機能する。
【００８７】
また、賞球制御部５０３は、払出部（払出駆動モータ）５９１と、発射部５９２と、定位置検出ＳＷ５９３と、払出球検出ＳＷ５９４と、球有り検出ＳＷ５９５と、満タン検出ＳＷ５９６と接続される。
【００８８】
賞球制御部５０３は、払出部５９１に対して入賞時の賞球数を払い出す制御をおこなう。払出部５９１は、遊技球の貯留部から所定数を払い出すためのモータからなる。具体的には、賞球制御部５０３は、払出部５９１に対して各入賞口（第１始動口１０５、第２始動口１０６、大入賞口１０９、普通入賞口１１０）に入賞した遊技球に対応した賞球数を払い出す制御をおこなう。
【００８９】
また、賞球制御部５０３は、発射部５９２に対する遊技球の発射の操作を検出して遊技球の発射を制御する。発射部５９２は、遊技のための遊技球を発射するものであり、遊技者による遊技操作を検出するセンサと、遊技球を発射させるソレノイド等を備える。賞球制御部５０３は、発射部５９２のセンサにより遊技操作を検出すると、検出された遊技操作に対応してソレノイド等を駆動させて遊技球を間欠的に発射させ、遊技盤１０１の遊技領域１０３に遊技球を送り出す。
【００９０】
また、この賞球制御部５０３には、払い出す遊技球の状態を検出する各所の検出部が接続され、賞球のための払い出し状態を検出する。これらの検出部としては、定位置検出ＳＷ５９３、払出球検出ＳＷ５９４、球有り検出ＳＷ５９５、満タン検出ＳＷ５９６等がある。たとえば、賞球制御部５０３は、賞球制御基板によってその機能を実現する。
【００９１】
また、主制御部５０１には、盤用外部情報端子基板５９７が接続されており、主制御部５０１が実行処理した各種情報を外部に出力することができる。賞球制御部５０３についても、枠用外部情報端子基板５９８が接続されており、賞球制御部５０３が実行処理した各種情報を外部に出力することができる。
【００９２】
上記構成の主制御部５０１と、演出制御部５０２と、賞球制御部５０３は、それぞれ異なるプリント基板（主制御基板、演出制御基板、賞球制御基板）に設けられるが、これに限らず、たとえば、賞球制御部５０３は、主制御部５０１と同一のプリント基板上に設けることもできる。
【００９３】
（ぱちんこ遊技機の基本動作）
本実施の形態にかかるぱちんこ遊技機１００の基本動作の一例を説明する。主制御部５０１のＣＰＵ５１１により遊技中の制御がおこなわれ、各入賞口に対する遊技球の入賞状況を賞球制御部５０３に出力する。そして、賞球制御部５０３は、入賞状況に対応した賞球数の払い出しをおこなう。
【００９４】
また、始動口１０５，１０６に遊技球が入賞するごとに、対応する制御信号を演出制御部５０２に出力し、演出制御部５０２は、画像表示部１０４の図柄を変動表示させ、停止させることを繰り返す。大当たり発生が決定しているときには、対応する制御信号を演出制御部５０２に出力し、演出制御部５０２は、所定の図柄で揃えて停止させる。このときには、さらに、大入賞口１０９を開放する制御をおこなう。
【００９５】
演出制御部５０２は、当選したイベントに対応する各種演出をおこなう。ここで、イベントには、たとえば、大当たり（１５ラウンド確変大当たり（いわゆる、確変大当たり）、１５ラウンド通常大当たり（いわゆる、通常大当たり）、２ラウンド時短付き確変大当たり（いわゆる、突確）、２ラウンド時短無し確変大当たり（いわゆる、潜確）、２ラウンド時短付き通常大当たり（いわゆる、突時））や、小当たりなどが含まれる。ここで、小当たりとは、ハズレの一つであるが、２ラウンド時短無し確変大当たりと同様の振る舞い（演出）を実行させるイベントである。
【００９６】
たとえば、演出制御部５０２は、大当たり発生期間中、および大当たり発生までの間のリーチ時や、リーチ予告時等には、画像表示部１０４に対して、演出図柄の変動表示に加えて各種の演出表示をおこなう。このほか、可動演出役物１３２に対して特定の駆動をおこなったり、演出ライト部１１６、盤ランプ５６４、固定演出役物１３１、可動演出役物１３２の点灯状態を変更したりする演出をおこなう。
【００９７】
そして、たとえば、大当たり（１５ラウンド確変／通常大当たり）発生時には、大入賞口１０９が複数回開放される。１回の開放を１ラウンドとして、１５回のラウンドが繰り返し実行される。１ラウンドの期間は、遊技球がたとえば９個入賞したとき、あるいは所定期間（たとえば３０秒）とされている。
【００９８】
この際に、賞球制御部５０３は、大入賞口１０９に対する遊技球１個の入賞あたり、たとえば１５個の賞球数で払い出しをおこなう。大当たり終了後は、大当たり状態が解除され、１５ラウンド確変大当たりであった場合には高確率状態の遊技状態へ復帰し、１５ラウンド通常大当たりであった場合には低確率状態の遊技状態へ復帰する。
【００９９】
（ぱちんこ遊技機の機能的構成）
次に、図６を用いて、本実施の形態にかかるぱちんこ遊技機１００の機能的構成について説明する。図６は、本実施の形態にかかるぱちんこ遊技機１００の機能的構成を示した説明図である。
【０１００】
図６において、ぱちんこ遊技機１００は、画像表示部１０４と、可動演出役物１３２と、駆動モータ２０１と、検知部６０１と、駆動制御部６０２と、状態検出部６０３と、報知制御部６０４とを備えて構成されている。
【０１０１】
画像表示部１０４は、特別図柄の変動表示に合わせて演出図柄を可変表示させたり、設定されているモードを表示させたりするほか、後述するように、可動演出役物１３２に対するロック解除の報知画面や駆動モータ２０１の故障を通知する報知画面を表示させたりする。可動演出役物１３２は、遊技盤１０１上に移動可能に設けられ、発光したり、移動したりすることにより所定の演出をおこなう。本実施の形態において、可動演出役物１３２は、駆動モータ２０１の原点位置に対応する位置にてロックされる。駆動モータ２０１は、可動演出役物１３２を移動させるために駆動する。
【０１０２】
検知部６０１は、駆動モータ２０１の動作状態を検知する。駆動モータ２０１の動作状態は、具体的には、駆動モータ２０１の回転および停止である。動作状態の検知は、本実施の形態ではフォトセンサ２３０を用いて駆動モータ２０１の位置を検知するようにしているが、これに限らず、駆動モータ２０１のパルスジェネレータを用いて駆動モータ２０１の回転状態を検知するようにしてもよい。
【０１０３】
駆動制御部６０２は、電源投入時に、駆動モータ２０１を駆動させて初期運転をおこなわせる。初期運転は、予め定めた動作であればよく、たとえば、可動演出役物１３２を所定の演出位置まで進出させた後、退避位置に戻すようにした動作である。本実施の形態において、駆動制御部６０２は、駆動モータ２０１を原点位置から初期運転を開始させる。なお、初期運転時の動作状態は、検知部６０１よって検知される。
【０１０４】
状態検出部６０３は、初期運転時における検知部６０１の検知結果に基づいて、駆動モータ２０１の動作状態を検出する。具体的には、状態検出部６０３は、検知部６０１によって原点位置などの特定の位置が検知され続けた場合や、検知部６０１によって特定の位置が一度も検知されない場合、駆動モータ２０１の異常を示す停止状態として動作状態を検出する。なお、状態検出部６０３は、可動演出役物１３２が所定の演出位置まで進出した後、退避位置に戻る正常な初期運転の場合、すなわち、検知部６０１によって、原点位置が検知された後、駆動モータ２０１の回転により原点位置が検知されなくなり、再度、原点位置が検知された場合、正常状態として動作状態を検出する。
【０１０５】
報知制御部６０４は、状態検出部６０３によって駆動モータ２０１が停止状態を保持していることが検出された場合、可動演出役物１３２がロックされている旨を報知させる。ロックされている旨の報知は、具体的には、ロック状態であることの報知や、ロック解除を促す報知などである。
【０１０６】
特に、本実施の形態において、駆動制御部６０２は、初期運転時に異常がない場合、初期運転後の遊技可能な状態において、所定のタイミングにて駆動モータ２０１を駆動させる通常運転をおこなわせる。通常運転は、演出コマンドを受信したタイミングでおこなう演出動作のほか、所定時間おきに且つ客待ち状態において可動演出役物１３２の動作状態の確認をおこなう試運転である。
【０１０７】
状態検出部６０３は、通常運転時における検知部６０１の検知結果に基づいて、駆動モータ２０１の回転状態を検出する。報知制御部６０４は、状態検出部６０３によって駆動モータ２０１が停止状態を保持していることが検出された場合、可動演出役物１３２の機構部の異常を示す旨を報知させる。機構部は、ここでは、駆動モータ２０１とするが、駆動系２００全体としてもよい。
【０１０８】
また、本実施の形態において、駆動制御部６０２は、状態検出部６０３によって駆動モータ２０１が停止状態を保持していることが検出された場合、以降の遊技において、駆動モータ２０１の駆動をおこなわないようにする。
【０１０９】
また、駆動モータ２０１の使用を停止した場合、可動演出役物１３２を動作演出させるための役物動作データ、および可動演出役物１３２の動作演出と同期させた画面演出をおこなうための演出画面データからなる役物併用演出データを用いた演出をおこなわないようにする。この場合、役物動作データを含まずに演出画面データのみからなる、役物併用演出データに替わる代替演出データを用いた演出をおこなうようにする。なお、演出データの詳細については、図１９を用いて後述する。
【０１１０】
（主制御部が実行するメイン処理）
次に、図７を用いて、主制御部５０１が実行するメイン処理について説明する。図７は、主制御部５０１が実行するメイン処理の処理内容を示すフローチャートである。たとえば、このメイン処理は、主制御部５０１に電源が投入されると開始され、主制御部５０１の起動中継続的に実行される。
【０１１１】
図７に示すように、メイン処理において主制御部５０１は、まず、１０００ｍｓ待機し（ステップＳ７０１）、その後、ＲＡＭ５１３へのアクセスを許可する（ステップＳ７０２）。ＲＡＭ５１３へのアクセスを許可すると、主制御部５０１は、ＲＡＭクリアスイッチがＯＮであるかを判定する（ステップＳ７０３）。
【０１１２】
ＲＡＭクリアスイッチがＯＮであれば（ステップＳ７０３：Ｙｅｓ）、主制御部５０１は、ＲＡＭクリアをおこなう（ステップＳ７０４）。ここで、ＲＡＭクリアとは、公知の技術のため詳細な説明は省略するが、ＲＡＭ５１３に蓄積されている各種情報（たとえば遊技状態を示す情報）を所定の初期状態とすることである。
【０１１３】
ＲＡＭクリアをおこなうと、主制御部５０１は、クリア時の作業領域を設定し（ステップＳ７０５）、周辺部の初期設定をおこなう（ステップＳ７０６）。ここで、周辺部とは、演出制御部５０２、賞球制御部５０３などである。周辺部の初期設定は、それぞれの制御部に対して、初期設定の実行を指示する初期設定コマンドを送信することによりおこなわれる。
【０１１４】
一方、ＲＡＭクリアスイッチがＯＮでなければ（ステップＳ７０３：Ｎｏ）、主制御部５０１は、バックアップフラグがＯＮであるかを判定する（ステップＳ７０７）。バックアップフラグがＯＮであれば（ステップＳ７０７：Ｙｅｓ）、主制御部５０１は、チェックサムが正常であるかを判定する（ステップＳ７０８）。
【０１１５】
チェックサムが正常であれば（ステップＳ７０８：Ｙｅｓ）、主制御部５０１は、復旧処理を実行する（ステップＳ７０９）。また、バックアップフラグがＯＮでなければ（ステップＳ７０７：Ｎｏ）、またはチェックサムが正常でなければ（ステップＳ７０８：Ｎｏ）、主制御部５０１は、ステップＳ７０４へ移行してＲＡＭクリアをおこなう。
【０１１６】
次に、主制御部５０１は、内蔵されているＣＴＣ（タイマカウンタ）の周期（たとえば４ｍｓ）を設定する（ステップＳ７１０）。なお、主制御部５０１は、ここで設定された周期を用いてタイマ割込処理を実行する。ステップＳ７１０においてＣＴＣの周期を設定すると、主制御部５０１は、電源遮断を監視する電源遮断監視処理を実行する（ステップＳ７１１）。
【０１１７】
電源遮断監視処理を実行すると、主制御部５０１は、変動パターン乱数を更新し（ステップＳ７１２）、タイマ割込処理の割込禁止設定をおこなう（ステップＳ７１３）。そして、主制御部５０１は、初期値乱数を更新し（ステップＳ７１４）、タイマ割込処理の割込許可設定をおこない（ステップＳ７１５）、ステップＳ７１１へ移行する。以降、主制御部５０１は、ステップＳ７１１からステップＳ７１５の処理を繰り返し実行する。
【０１１８】
（演出統括部およびランプ制御部の初期設定時における処理手順）
次に、図８〜図１０を用いて、演出統括部５０２ａおよびランプ制御部５０２ｃの初期設定時における処理手順の内容について説明する。図８は、演出統括部５０２ａがおこなう異常検出開始処理の処理内容を示したフローチャートである。
【０１１９】
図８において、演出統括部５０２ａのＣＰＵ５４１は、主制御部５０１から初期設定コマンドを受信したか否かを判定する（ステップＳ８０１）。なお、初期設定コマンドは、ステップＳ７０６（図７参照）における周辺部の初期設定において、主制御部５０１から出力されるコマンドである。初期設定コマンドを受信しない場合（ステップＳ８０１：Ｎｏ）、そのまま処理を終了する。
【０１２０】
初期設定コマンドを受信した場合（ステップＳ８０１：Ｙｅｓ）、ランプ制御部５０２ｃに異常を検出させるための異常検出開始コマンドをセットして（ステップＳ８０２）、処理を終了する。
【０１２１】
図９は、ランプ制御部５０２ｃがおこなう初期設定時異常検出処理の処理内容を示したフローチャートである。なお、この処理は、演出統括部５０２ａから異常検出開始コマンドを受信したときのみにおこなわれる処理である。図９において、ランプ制御部５０２ｃのＣＰＵ５６１は、演出統括部５０２ａから異常検出開始コマンドを受信したか否かを判定する（ステップＳ９０１）。異常検出開始コマンドを受信していないと判定した場合（ステップＳ９０１：Ｎｏ）、そのまま処理を終了する。異常検出開始コマンドを受信したと判定した場合（ステップＳ９０１：Ｙｅｓ）、駆動モータ２０１を回転させ、フォトセンサ２３０による駆動モータ２０１の原点位置の検知を開始する（ステップＳ９０２）。そして、フォトセンサ２３０によって原点位置が検知されたか否かを判定する（ステップＳ９０３）。
【０１２２】
原点位置が検知された場合（ステップＳ９０３：Ｙｅｓ）、駆動モータ２０１を初期運転させるために、駆動モータ２０１を予め設定された所定量回転させる（ステップＳ９０４）。この後、フォトセンサ２３０の検知結果に基づいて駆動モータ２０１が作動しているか否かを判定する（ステップＳ９０５）。なお、駆動モータ２０１の作動の判定については、たとえば、フォトセンサ２３０によって検知されるパルスが規定のパルスであるか否かを基に判定する。この規定のパルスの一例については、図２５を用いて後述する。駆動モータ２０１が作動した場合（ステップＳ９０５：Ｙｅｓ）、駆動モータ使用フラグをＯＮにする（ステップＳ９０６）。なお、駆動モータ使用フラグをＯＮにするとは、駆動モータ２０１を使用させるようにすることである。この後、可動演出役物１３２が正常である旨を報知させるための正常コマンドをセットし（ステップＳ９０７）、処理を終了する。
【０１２３】
ステップＳ９０５において、駆動モータ２０１が作動しない場合（ステップＳ９０５：Ｎｏ）、駆動モータ使用フラグをＯＦＦにする（ステップＳ９０８）。なお、駆動モータ使用フラグをＯＦＦにするとは、駆動モータ２０１の使用を停止させることである。そして、ロック状態であることを示すロックフラグをＯＮにするとともに（ステップＳ９０９）、可動演出役物１３２に対するロック解除を報知させるためのロック報知コマンドをセットし（ステップＳ９１０）、処理を終了する。
【０１２４】
一方、ステップＳ９０３において、原点位置を検知しない場合（ステップＳ９０３：Ｎｏ）、駆動モータ使用フラグをＯＦＦにする（ステップＳ９１１）。この後、駆動モータ２０１の異常を示すモータ異常フラグをＯＮにするとともに（ステップＳ９１２）、モータ異常である旨を報知させるためのモータ異常コマンドをセットし（ステップＳ９１３）、処理を終了する。
【０１２５】
図１０は、ランプ制御部５０２ｃがおこなう再検出処理の処理内容を示したフローチャートである。なお、本フローチャートは、図９に示した初期設定時異常検出処理をおこなったのち、所定の異常検出期間中に再度おこなう異常検出の処理である。なお、所定の異常検出期間中とは、ランプ制御部５０２ｃのＣＰＵ５６１が演出統括部５０２ａから異常検出開始コマンドを受信してから、予め設定されている所定の期間である。
【０１２６】
図１０において、ランプ制御部５０２ｃのＣＰＵ５６１は、駆動モータ使用フラグがＯＦＦであるか否かを判定し（ステップＳ１００１）、駆動モータ使用フラグがＯＦＦではない場合（ステップＳ１００１：Ｎｏ）、そのまま処理を終了する。駆動モータ使用フラグがＯＦＦである場合（ステップＳ１００１：Ｙｅｓ）、駆動モータ２０１を回転させ、フォトセンサ２３０による駆動モータ２０１の原点位置の検知を開始する（ステップＳ１００２）。そして、フォトセンサ２３０によって原点位置が検知されたか否かを判定する（ステップＳ１００３）。
【０１２７】
原点位置が検知された場合（ステップＳ１００３：Ｙｅｓ）、駆動モータ２０１を所定量回転させ（ステップＳ１００４）、フォトセンサ２３０の検知結果に基づいて駆動モータ２０１が作動したか否かを判定する（ステップＳ１００５）。駆動モータ２０１が作動した場合（ステップＳ１００５：Ｙｅｓ）、モータ異常フラグまたはロックフラグをＯＦＦにするとともに（ステップＳ１００６）、駆動モータ使用フラグをＯＮに設定する（ステップＳ１００７）。さらに、正常である旨を報知させるための正常コマンドをセットし（ステップＳ１００８）、処理を終了する。
【０１２８】
ステップＳ１００３において、原点位置が検知されない場合（ステップＳ１００３：Ｎｏ）、そのまま処理を終了する。また、ステップＳ１００５において、駆動モータ２０１が作動しない場合（ステップＳ１００５：Ｎｏ）、モータ異常フラグがＯＮであるか否かを判定する（ステップＳ１００９）。モータ異常フラグがＯＮである場合（ステップＳ１００９：Ｙｅｓ）、すなわち、初期設定時異常検出処理（図９参照）において、駆動モータ２０１の異常と判定されたにもかかわらず、再検出処理において駆動モータ２０１については正常と判定された場合、モータ異常フラグをＯＦＦにする（ステップＳ１０１０）。
【０１２９】
この後、ロックフラグがＯＮであるか否かを判定する（ステップＳ１０１１）。ロックフラグがＯＮではない場合（ステップＳ１０１１：Ｎｏ）、すなわち、初期設定時異常検出処理（図９参照）において、駆動モータ２０１の異常と判定されたものの、再検出処理においてロックが施されていると判定された場合、ロックフラグをＯＮにし（ステップＳ１０１２）、ロック報知コマンドをセットする（ステップＳ１０１３）。
【０１３０】
ステップＳ１００９において、モータ異常フラグがＯＮではないと判定した場合（ステップＳ１００９：Ｎｏ）、ステップＳ１０１１に移行する。ステップＳ１０１１において、ロックフラグがＯＮであると判定した場合（ステップＳ１０１１：Ｙｅｓ）、すなわち、初期設定時異常検出処理（図９参照）および本再検出処理において、ロックが施されていると判定された場合、そのまま処理を終了する。
【０１３１】
なお、上述した再検出処理は、異常検出期間中、複数回おこなってもよい。また、操作者に再検出処理をおこなうか否かの通知をおこなうとともに、操作者から再検出処理をおこなう旨の入力を、予め設定した所定のボタンから受け付けた際に、再検出処理を実行するようにしてもよい。
【０１３２】
図１１は、演出統括部５０２ａがおこなう初期設定時報知処理の処理内容を示したフローチャートである。図１１において、演出統括部５０２ａのＣＰＵ５４１は、ランプ制御部５０２ｃからモータ異常コマンドを受信したか否かを判定する（ステップＳ１１０１）。モータ異常コマンドを受信した場合（ステップＳ１１０１：Ｙｅｓ）、画像表示部１０４およびスピーカ５５４を用いてモータ異常を示すモータ異常報知画面をセットする（ステップＳ１１０２）。そして、演出役物１３０を併用した演出に替わる代替演出をおこなう旨を示す代替演出使用フラグをＯＮにし（ステップＳ１１０３）、ステップＳ１１０９に移行する。
【０１３３】
ステップＳ１１０３において代替演出使用フラグをＯＮにするとは、可動演出役物１３２の可動を伴う動作演出をおこなわないようにすることである。なお、代替演出使用フラグがＯＮのときには、演出役物１３０を併用した演出内容の使用フラグ（役物併用演出使用フラグ）がＯＦＦに設定される。一方、代替演出使用フラグがＯＦＦのときには、役物併用演出使用フラグがＯＮに設定される。
【０１３４】
ここで、ランプ制御部５０２ｃにおいても、駆動モータ使用フラグがＯＦＦに設定されているため（図９のステップＳ９０８およびステップＳ９１１参照）、遊技中に、駆動モータ２０１に過負荷がかかることはないが、ステップＳ１１０３の処理において、演出役物１３０を用いた演出をおこなわないようにすることにより、違和感のない演出をおこなうことを可能にしている。
【０１３５】
ステップＳ１１０１において、モータ異常コマンドを受信しない場合（ステップＳ１１０１：Ｎｏ）、ロック報知コマンドを受信したか否かを判定する（ステップＳ１１０４）。ロック報知コマンドを受信した場合（ステップＳ１１０４：Ｙｅｓ）、ロック解除を促すロック解除報知画面をセットし（ステップＳ１１０５）、ステップＳ１１０３に移行する。
【０１３６】
ステップＳ１１０４において、ロック報知コマンドを受信しない場合（ステップＳ１１０４：Ｎｏ）、正常コマンドを受信したか否かを判定する（ステップＳ１１０６）。正常コマンドを受信した場合（ステップＳ１１０６：Ｙｅｓ）、正常である旨を示す正常画面をセットする（ステップＳ１１０７）。そして、演出役物１３０を併用した演出内容の使用フラグをＯＮにし（ステップＳ１１０８）、ステップＳ１１０９に移行する。
【０１３７】
ステップＳ１１０９では、異常検出期間が終了したか否かを判定する（ステップＳ１１０９）。また、ステップＳ１１０６において、正常コマンドを受信しない場合（ステップＳ１１０６：Ｎｏ）、たとえば、現在表示中の画面を保持したまま、ステップＳ１１０９に移行する。
【０１３８】
ステップＳ１１０９において、異常検出期間が終了していないと判定した場合（ステップＳ１１０９：Ｎｏ）、処理を終了する。異常検出期間が終了したと判定した場合（ステップＳ１１０９：Ｙｅｓ）、報知終了コマンドをセットし（ステップＳ１１１０）、処理を終了する。なお、画像・音声制御部５０２ｂは、異常検出期間の終了に伴って演出統括部５０２ａから報知終了コマンドを受信することにより、画像表示部１０４およびスピーカ５５４を用いた異常報知画面または正常画面を終了させる。
【０１３９】
次に、通常の遊技時における異常検出について説明する。まず、ぱちんこ遊技機１００のタイマ割込処理について説明する。
【０１４０】
（タイマ割込処理）
図１２は、主制御部５０１が実行するタイマ割込処理の処理内容を示すフローチャートである。たとえば、タイマ割込処理は、図７のステップＳ７１０において設定された周期で、メイン処理に割り込み実行される。図１２に示すように、タイマ割込処理において主制御部５０１は、まず、乱数更新処理を実行する（ステップＳ１２０１）。公知の技術のため詳細な説明および図示は省略するが、たとえば、乱数更新処理では、第１大当たり抽選や第２大当たり抽選に用いる大当たり乱数などの更新をおこなう。
【０１４１】
次に、主制御部５０１は、スイッチ処理を実行する（ステップＳ１２０２）。公知の技術のため詳細な説明および図示は省略するが、たとえば、スイッチ処理では、第１始動口１０５、第２始動口１０６への遊技球の入賞を検出して、入賞時の乱数を取得する。また、大入賞口１０９、普通入賞口１１０への遊技球の入賞を検出して、入賞した入賞口に対応する賞球コマンドをセットする。
【０１４２】
次に、主制御部５０１は、図柄処理を実行する（ステップＳ１２０３）。ここで、図柄処理は、特別図柄に関する特別図柄処理と、普通図柄に関する普通図柄処理とからなる。特別図柄処理では特別図柄を変動／停止表示させるとともに、大当たり抽選をおこなう（図１２参照）。普通図柄処理では普通図柄を変動／停止表示させるとともに、普通図柄抽選をおこなう（詳細な説明は省略する）。
【０１４３】
図柄処理を実行すると、主制御部５０１は、電動役物処理を実行する（ステップＳ１２０４）。公知の技術のため詳細な説明および図示は省略するが、電動役物処理では、可動演出役物１３２、電動チューリップソレノイド５３１、大入賞口ソレノイド５３２などの主制御部５０１に接続された各種電動役物の動作制御をおこなう。
【０１４４】
次に、主制御部５０１は、賞球に関する賞球処理を実行して（ステップＳ１２０５）、上記の処理によりＲＡＭ５１３にセットされたコマンドを演出制御部５０２などに対して出力する出力処理を実行し（ステップＳ１２０６）、タイマ割込処理を終了する。タイマ割込処理を終了すると、主制御部５０１は、メイン処理へ戻る。
【０１４５】
（特別図柄処理）
図１３は、特別図柄処理の処理内容を示すフローチャートである。この特別図柄処理は、図１２のステップＳ１２０３に含まれる処理内容である。特別図柄処理は、大当たり状態であれば（ステップＳ１３０１：Ｙｅｓ）、特別図柄を変動させず処理を終了する。大当たり状態でなければ（ステップＳ１３０１：Ｎｏ）、特別図柄の変動中であるか否かを判定し（ステップＳ１３０２）、変動中でなければ（ステップＳ１３０２：Ｎｏ）、第２始動口１０６に入賞した遊技球の保留数Ｕ２が最低１個はあるか否かを判定する（ステップＳ１３０３）。
【０１４６】
保留数Ｕ２が１個以上あれば（ステップＳ１３０３：Ｙｅｓ）、保留数Ｕ２を１個分減算したものを新たな保留数とし（ステップＳ１３０４）、第２大当たり判定処理をおこなう（ステップＳ１３０５）。この第２大当たり判定処理は、第２始動口ＳＷ処理にて取得した乱数を基に、大当たりか否か、および大当たりの場合には確変大当たりか否かが選択される。
【０１４７】
一方、ステップＳ１３０３において、保留数Ｕ２がなければ（Ｕ２＝０）（ステップＳ１３０３：Ｎｏ）、第１始動口１０５に入賞した遊技球の保留数Ｕ１が最低１個はあるか否かを判定する（ステップＳ１３０６）。保留数Ｕ１がなければ（Ｕ１＝０）（ステップＳ１３０６：Ｎｏ）、図柄変動させず終了する。
【０１４８】
保留数Ｕ１が１個以上あれば（ステップＳ１３０６：Ｙｅｓ）、保留数Ｕ１を１個分減算したものを新たな保留数とし（ステップＳ１３０７）、第１大当たり判定処理をおこなう（ステップＳ１３０８）。この第１大当たり判定処理は、第１始動口ＳＷ処理にて取得した乱数を基に、大当たりか否か、および大当たりの場合には確変大当たりか否かが選択される。なお、ステップＳ１３０３〜ステップＳ１３０８に示したように、第１始動口１０５への入賞よりも、第２始動口１０６への入賞が優先して消化されるようになっている。
【０１４９】
ステップＳ１３０５における第２大当たり判定処理、またはステップＳ１３０８における第１大当たり判定処理をおこなった後、変動パターン選択処理をおこなう（ステップＳ１３０９）。この変動パターン選択処理は、大当たり判定処理の判定結果に応じて、大当たりやリーチ等の各変動パターンを選択する処理である。次に、変動開始コマンドをＲＡＭ５１３にセットし（ステップＳ１３１０）、特別図柄の変動表示を開始させる（ステップＳ１３１１）。そして、特別図柄が変動している変動時間を計測開始して終了する（ステップＳ１３１２）。
【０１５０】
ステップＳ１３０２において、特別図柄の変動中の場合（ステップＳ１３０２：Ｙｅｓ）、変動時間が経過したか否かを判定する（ステップＳ１３１３）。変動時間が経過していなければ（ステップＳ１３１３：Ｎｏ）、処理を終了する。変動時間が経過していれば（ステップＳ１３１３：Ｙｅｓ）、特別図柄の変動停止コマンドをセットし（ステップＳ１３１４）、特別図柄の変動を停止させる（ステップＳ１３１５）。この際、特別図柄の変動時間をリセットし（ステップＳ１３１６）、所定の停止中処理をおこない（ステップＳ１３１７）、終了する。
【０１５１】
（大入賞口処理）
図１４は、大入賞口処理の処理内容を示すフローチャートである。大入賞口処理とは、図１２のステップＳ１２０４に示した電動役物処理に含まれる一処理である。大入賞口処理においては、まず、大当たり中であるか否かを判定する（ステップＳ１４０１）。大当たりとしては、たとえば、１５ラウンド確変／通常大当たり、２ラウンド確変大当たりなどがある。
【０１５２】
ステップＳ１４０１において、大当たり中ではないときは（ステップＳ１４０１：Ｎｏ）、そのまま処理を終了する。大当たり中のときには（ステップＳ１４０１：Ｙｅｓ）、オープニング中であるか否かを判定する（ステップＳ１４０２）。ここで、オープニングとは、大入賞口１０９を開放する前の所定の期間をいう。
【０１５３】
オープニング中であれば（ステップＳ１４０２：Ｙｅｓ）、所定のオープニング期間が経過したか判定する（ステップＳ１４０３）。オープニング期間が経過していなければ（ステップＳ１４０３：Ｎｏ）、そのまま処理を終了する。
【０１５４】
オープニング期間が経過していれば（ステップＳ１４０３：Ｙｅｓ）、ラウンド数設定処理を実行する（ステップＳ１４０４）。ラウンド数設定処理では、図１３のステップＳ１３０５またはステップＳ１３０８にておこなった大当たり判定処理の判定結果に応じたラウンド数が設定される。たとえば、１５ラウンド確変／通常大当たりに当選している場合には１５ラウンドを設定する。また、２ラウンド確変大当たりに当選している場合には２ラウンドを設定する。
【０１５５】
ステップＳ１４０４においてラウンド数設定処理を実行した後、大当たり用の値（ラウンド数）Ｒを１加算した値を新たなＲとする（ステップＳ１４０５）。ステップＳ１４０５において、新たなＲを得ると、大入賞口ソレノイド５３２を制御して、大入賞口１０９を開放させる（ステップＳ１４０６）。
【０１５６】
ステップＳ１４０６において大入賞口１０９を開放させた後、開放開始時からの所定期間（たとえば３０秒）が経過したか判定する（ステップＳ１４０７）。この期間は、大当たりの種別ごとに設定される。たとえば、１５ラウンド確変／通常大当たりでは３０秒に設定され、２ラウンド確変大当たりでは０．５秒に設定される。所定期間が経過していないときには（ステップＳ１４０７：Ｎｏ）、大入賞口１０９への遊技球の入賞数Ｃが９であるか否かを判定する（ステップＳ１４０８）。入賞数Ｃが９であるときには（ステップＳ１４０８：Ｙｅｓ）、大入賞口１０９を閉口させる（ステップＳ１４０９）。入賞数Ｃが９ではないときには（ステップＳ１４０８：Ｎｏ）、処理を終了する。
【０１５７】
一方、ステップＳ１４０７において開放期間が経過したときには（ステップＳ１４０７：Ｙｅｓ）、ステップＳ１４０９へ移行し、大入賞口１０９を閉口させる。すなわち、大入賞口１０９は、所定の開放期間の経過または所定の入賞数のいずれか一方が満たされた場合に閉口される。特に、２ラウンド確変大当たりでは開放期間が０．５秒に設定されるため、この間に大入賞口１０９へ入賞させることは困難である。このため、２ラウンド確変大当たりは、１５ラウンド確変／通常大当たりに比べて、得られる賞球数が極めて少ない大当たりとなっている。
【０１５８】
ステップＳ１４０９において大入賞口１０９を閉口させた後、最終ラウンドとなったか否かを判定する（ステップＳ１４１０）。たとえば、ステップＳ１４０４のラウンド数設定処理において設定されたラウンド数が１５ラウンドであれば、Ｒ＝１５の場合に最終ラウンドとなる。また、ラウンド数設定処理において設定されたラウンド数が２ラウンドであれば、Ｒ＝２の場合に最終ラウンドとなる。
【０１５９】
ステップＳ１４１０において最終ラウンドではないときには（ステップＳ１４１０：Ｎｏ）、処理を終了する。最終ラウンドであるときには（ステップＳ１４１０：Ｙｅｓ）、エンディングを開始する（ステップＳ１４１１）。ここで、エンディングは、大入賞口１０９閉口後の所定の期間をいう。
【０１６０】
ステップＳ１４１１においてエンディングを開始した後、大当たり用の値Ｒを０とし（ステップＳ１４１２）、所定のエンディング期間が経過したか判定する（ステップＳ１４１３）。エンディング期間が経過していれば（ステップＳ１４１３：Ｙｅｓ）、大当たりを終了し（ステップＳ１４１４）、処理を終了する。エンディング期間が経過していなければ（ステップＳ１４１３：Ｎｏ）、そのまま処理を終了する。
【０１６１】
ステップＳ１４０２においてオープニング中でなければ（ステップＳ１４０２：Ｎｏ）、大入賞口１０９が開放中であるか否かを判定する（ステップＳ１４１５）。開放中であれば（ステップＳ１４１５：Ｙｅｓ）、ステップＳ１４０７へ移行する。開放中でなければ（ステップＳ１４１５：Ｎｏ）、所定のインターバル中であるか否かを判定する（ステップＳ１４１６）。ここで、インターバルとは、大入賞口１０９の前回の開放（たとえば１ラウンド目の開放）から次回の開放（たとえば２ラウンド目の開放）までの所定期間である。
【０１６２】
ステップＳ１４１６においてインターバル中でなければ（ステップＳ１４１６：Ｎｏ）、ステップＳ１４１３へ移行する。一方、インターバル中であれば（ステップＳ１４１６：Ｙｅｓ）、所定のインターバル期間が経過したか判定する（ステップＳ１４１７）。ステップＳ１４１７においてインターバル期間が経過したときには（ステップＳ１４１７：Ｙｅｓ）、ステップＳ１４０５へ移行する。インターバル期間が経過していないときには（ステップＳ１４１７：Ｎｏ）、処理を終了する。
【０１６３】
（演出制御部が実行するメイン処理）
次に、図１５を用いて、演出制御部５０２が実行するメイン処理の処理内容について説明する。図１５は、演出制御部５０２が実行するメイン処理を示したフローチャートである。
【０１６４】
図１５において、メイン処理は、演出制御部５０２の演出統括部５０２ａが、起動中継続的に実行する処理であり、主制御部５０１からコマンドを受信するコマンド受信処理を実行するとともに（ステップＳ１５０１）、画像・音声制御部５０２ｂまたはランプ制御部５０２ｃに対してコマンドを送信するコマンド送信処理を実行し（ステップＳ１５０２）、処理を終了する。
【０１６５】
（コマンド受信処理）
次に、図１６を用いて、図１５のステップＳ１５０１に示したコマンド受信処理の詳細について説明する。図１６は、コマンド受信処理を示したフローチャートである。図１６において、演出統括部５０２ａのＣＰＵ５４１は、主制御部５０１から開始コマンドを受信したか否かを判定する（ステップＳ１６０１）。なお、開始コマンドは、特別図柄の変動を開始させる際に主制御部５０１から送信されるコマンドである。
【０１６６】
開始コマンドを受信した場合（ステップＳ１６０１：Ｙｅｓ）、演出選択処理を実行し（ステップＳ１６０２）、ステップＳ１６０３に移行する。なお、演出選択処理の詳細については、図１７を用いて後述する。ステップＳ１６０１において、開始コマンドを受信しない場合（ステップＳ１６０１：Ｎｏ）、ステップＳ１６０３に移行する。
【０１６７】
ステップＳ１６０３では、終了コマンドを受信したか否かを判定する（ステップＳ１６０３）。なお、終了コマンドは、特別図柄の変動を停止させる際に主制御部５０１から送信されるコマンドである。終了コマンドを受信した場合（ステップＳ１６０３：Ｙｅｓ）、終了コマンドをセットし（ステップＳ１６０４）、ステップＳ１６０５に移行する。ステップＳ１６０３において、終了コマンドを受信しない場合（ステップＳ１６０３：Ｎｏ）、ステップＳ１６０５に移行する。
【０１６８】
ステップＳ１６０５では、大入賞口１０９を開放させる際のオープニングコマンドを受信したか否かを判定する（ステップＳ１６０５）。オープニングコマンドを受信した場合（ステップＳ１６０５：Ｙｅｓ）、当たり演出選択処理を実行し（ステップＳ１６０６）、ステップＳ１６０７に移行する。なお、当たり演出選択処理の詳細については、図２０を用いて後述する。
【０１６９】
ステップＳ１６０５において、オープニングコマンドを受信しない場合（ステップＳ１６０５：Ｎｏ）、ステップＳ１６０７に移行する。ステップＳ１６０７では、当たり演出を終了させるためのエンディングコマンドを受信したか否かを判定する（ステップＳ１６０７）。エンディングコマンドを受信した場合（ステップＳ１６０７：Ｙｅｓ）、エンディングコマンドをセットし（ステップＳ１６０８）、ステップＳ１６０９に移行する。ステップＳ１６０７において、エンディングコマンドを受信しない場合（ステップＳ１６０７：Ｎｏ）、ステップＳ１６０９に移行する。
【０１７０】
ステップＳ１６０９では、遊技中ではない旨を示す客待ちコマンドを受信したか否かを判定する（ステップＳ１６０９）。客待ちコマンドを受信した場合（ステップＳ１６０９：Ｙｅｓ）、客待ちコマンドを受信してからの時間の計測を開始し（ステップＳ１６１０）、計測フラグをＯＮにする（ステップＳ１６１１）。この後、ステップＳ１６１３に移行する。
【０１７１】
客待ちコマンドを受信しない場合（ステップＳ１６１０：Ｎｏ）、計測フラグがＯＮか否かを判定する（ステップＳ１６１２）。計測フラグがＯＮではない場合（ステップＳ１６１２：Ｎｏ）、そのまま処理を終了する。計測フラグがＯＮである場合（ステップＳ１６１２：Ｙｅｓ）、予め設定される上限時間に到達したことを示すタイムアップか否かを判定する（ステップＳ１６１３）。タイムアップではない場合（ステップＳ１６１３：Ｎｏ）、処理を終了する。
【０１７２】
タイムアップである場合（ステップＳ１６１３：Ｙｅｓ）、客待ち演出コマンドをセットする（ステップＳ１６１４）。なお、この客待ち演出コマンドを受けて、画像・音声制御部５０２ｂは客待ち画面を表示するとともに、ランプ制御部５０２ｃはランプを消灯する。この後、計測フラグをＯＦＦにし（ステップＳ１６１５）、処理を終了する。
【０１７３】
（演出選択処理）
次に、図１７を用いて、図１６のステップＳ１６０２に示した演出選択処理の詳細について説明する。図１７は、演出選択処理を示したフローチャートである。演出選択処理では、まず、開始コマンドの解析をおこなう（ステップＳ１７０１）。ステップＳ１７０１では、具体的には、大当たりか否か、リーチか否かなどを解析する。この後、モードフラグを参照する（ステップＳ１７０２）。ステップＳ１７０２では、具体的には、確変モード、通常モード、時短モード、突確モード、潜伏モードなどのモードを示すフラグを参照する。
【０１７４】
この後、演出パターン選択処理を実行する（ステップＳ１７０３）。なお、演出パターン選択処理は、予め用意された複数種類の演出の中から一つを選択する処理である。具体的には、開始コマンドを解析することにより得た特別図柄の変動時間を示す情報を用い、この変動時間と同一の再生時間を有する演出を選択する。これにより、特別図柄の変動表示に合わせて演出図柄を変動表示することができるとともに、特別図柄の停止表示に合わせて演出図柄を停止表示することができる。なお、演出パターン選択処理の詳細については、図１８を用いて後述する。
【０１７５】
演出パターン選択処理の実行後、演出図柄の選択をおこなう（ステップＳ１７０４）。この後、選択された演出パターンおよび演出図柄の情報を含む演出コマンドをセットし（ステップＳ１７０５）、処理を終了する。
【０１７６】
（演出パターン選択処理）
次に、図１８を用いて、図１７のステップＳ１７０３に示した演出パターン選択処理の詳細について説明する。図１８は、演出パターン選択処理を示すフローチャートである。演出パターン選択処理では、まず、演出役物１３０を併用した演出が含まれる所定の変動時間か否かを判定する（ステップＳ１８０１）。所定の変動時間であると判定した場合（ステップＳ１８０１：Ｙｅｓ）、代替演出使用フラグがＯＮであるか否かを判定する（ステップＳ１８０２）。代替演出使用フラグは、初期設定時報知処理（図１１参照）にてＯＮに設定されるものである。
【０１７７】
代替演出使用フラグがＯＮである場合（ステップＳ１８０２：Ｙｅｓ）、代替演出データと通常演出データとを用いて演出パターンの抽選をおこなう（ステップＳ１８０３）。なお、通常演出データは、可動演出役物１３２の動作を併用しない画面演出データである。
【０１７８】
一方、ステップＳ１８０２において、代替演出使用フラグがＯＮではないと判定した場合（ステップＳ１８０２：Ｎｏ）、役物併用演出データと通常演出データとを用いて演出パターンの抽選をおこなう（ステップＳ１８０４）。また、ステップＳ１８０１において、所定の変動時間ではないと判定した場合（ステップＳ１８０１：Ｎｏ）、ステップＳ１８０４に移行する。
【０１７９】
なお、役物併用演出データ、代替演出データ、通常演出データの詳細については、図１９を用いて後述する。この後、演出パターンをセットし（ステップＳ１８０５）、処理を終了する。
【０１８０】
（演出用データの一例）
次に、図１９を用いて、演出統括部５０２ａのＲＡＭ５４３に記憶される演出用データの一例について説明する。図１９は、演出統括部５０２ａのＲＡＭ５４３に記憶される演出用データの一例を示した説明図である。
【０１８１】
図１９において、正常時演出データＳ１は、駆動モータ２０１に異常がない場合、または可動演出役物１３２がロックされていない場合に用いられるものであり、役物併用演出データ１９００と、通常演出データ１９１０とからなる。役物併用演出データ１９００は、画像表示部１０４による画面演出用の演出画面データ１９０１と、可動演出役物１３２による動作演出用の役物動作データ１９０２とからなる。通常演出データ１９１０は、画像表示部１０４による画面演出用の演出画面データ１９０１からなる。
【０１８２】
一方、異常時演出データＳ２は、駆動モータ２０１に異常がある場合、または、可動演出役物１３２がロックされている場合に用いられるものであり、代替演出データ１９２０と、通常演出データ１９１０とからなる。代替演出データ１９２０は、役物併用演出データ１９００に替わって使用されるデータであり、画像表示部１０４による画面演出のみによってあらわされる画面データである。なお、役物併用演出データ１９００、通常演出データ１９１０、代替演出データ１９２０には、それぞれ、演出役物１３０や盤ランプ５６４の点灯によるランプ演出をおこなうための点灯データなども含まれる。
【０１８３】
なお、本実施の形態において、代替演出データ１９２０は必須ではなく、代替演出データ１９２０を記憶していない場合には、駆動モータ２０１に異常があるとき、または可動演出役物１３２がロックされているときに、役物併用演出データ１９００を用いずに、通常演出データ１９１０のみを用いるようにしてもよい。
【０１８４】
（当たり演出選択処理）
次に、図２０を用いて、図１６のステップＳ１６０６に示した当たり演出選択処理の詳細について説明する。図２０は、当たり演出選択処理を示したフローチャートである。演出選択処理では、まず、オープニングコマンドの解析をおこなう（ステップＳ２００１）。ステップＳ２００１では、具体的には、大当たりか小当たりか、確変大当たりか通常大当たりか、１５ラウンド大当たりか２ラウンド大当たりか、などを解析する。この後、モードフラグを再設定する（ステップＳ２００２）。ステップＳ２００２では、具体的には、解析した当たりの内容に応じて、当たり後のモードを、確変モード、通常モード、時短モード、突確モードまたは潜伏モードなどのうち、一つ設定する。
【０１８５】
この後、当たり演出パターンを選択する（ステップＳ２００３）。なお、当たり演出パターンの選択は、解析した当たりの内容に応じて、予め用意された複数種類の演出の中から一つを選択する処理である。当たり演出パターンを選択した後、当たり演出コマンドをセットし（ステップＳ２００４）、処理を終了する。
【０１８６】
（演出統括部およびランプ制御部の通常時における処理手順）
次に、図２１〜図２４を用いて、演出統括部５０２ａおよびランプ制御部５０２ｃによる営業中などの通常時における処理手順の内容について説明する。図２１は、ランプ制御部５０２ｃがおこなう演出中の異常検出処理の処理内容を示したフローチャートである。なお、図２１に示す処理は、特別図柄の変動ごとにおこなう原点位置の検知結果に基づいて、駆動モータ２０１の異常を検出する際の処理を示している。また、本フローチャートは、可動演出役物１３２を動作させて演出をおこなう場合の処理を示しており、換言すれば、少なくとも、初期運転を終えた際には、可動演出役物１３２に対するロックは解除されていることを前提とする。
【０１８７】
図２１において、ランプ制御部５０２ｃのＣＰＵ５６１は、演出統括部５０２ａの統括制御によるランプおよび演出図柄を用いた演出中であるか否かを判定する（ステップＳ２１０１）。演出中であると判定した場合（ステップＳ２１０１：Ｙｅｓ）、そのまま処理を終了する。演出中ではないと判定した場合（ステップＳ２１０１：Ｎｏ）、役物併用演出データ１９００（図１９参照）による演出内容を示す所定の演出コマンドを受信したか否かを判定する（ステップＳ２１０２）。
【０１８８】
演出コマンドを受信しない場合（ステップＳ２１０２：Ｎｏ）、そのまま処理を終了する。演出コマンドを受信した場合（ステップＳ２１０２：Ｙｅｓ）、フォトセンサ２３０による駆動モータ２０１の原点位置の検知を開始する（ステップＳ２１０３）。そして、フォトセンサ２３０によって原点位置が検知されたか否かを判定する（ステップＳ２１０４）。
【０１８９】
原点位置が検知されない場合（ステップＳ２１０４：Ｎｏ）、ステップＳ２１０７に移行する。原点位置が検知された場合（ステップＳ２１０４：Ｙｅｓ）、可動演出役物１３２を演出位置に進出させるために駆動モータ２０１を所定量回転させる（ステップＳ２１０５）。この後、フォトセンサ２３０の検知結果に基づいて駆動モータ２０１が作動しているか否かを判定する（ステップＳ２１０６）。なお、駆動モータ２０１の作動の判定については、たとえば、フォトセンサ２３０によって検知されるパルスが規定のパルスであるか否かを基に判定する。この規定のパルスの一例については、図２５を用いて後述する。
【０１９０】
駆動モータ２０１が作動した場合（ステップＳ２１０６：Ｙｅｓ）、そのまま処理を終了する。駆動モータ２０１が作動しない場合（ステップＳ２１０６：Ｎｏ）、駆動モータ使用フラグをＯＦＦにする（ステップＳ２１０７）。なお、駆動モータ使用フラグをＯＦＦにするとは、駆動モータ２０１の使用を停止させることである。そして、代替演出使用フラグをＯＮにするとともに（ステップＳ２１０８）、モータ異常である旨を報知させるためのモータ異常コマンドをセットし（ステップＳ２１０９）、処理を終了する。
【０１９１】
ステップＳ２１０９にてセットしたモータ異常コマンドにより、たとえば、演出の妨げにならない程度に、演出ライト部１１６または盤ランプ５６４を、所定の異常を示す点灯形式にて発光させる。これにより、店員に異常がある旨を報知することができる。また、ステップＳ２１０９にて、セットしたモータ異常コマンドは、演出統括部５０２ａへ送信され、演出統括部５０２ａによって、役物併用演出データ１９００（図１９参照）を用いないようにした演出内容の制御がおこなわれる。
【０１９２】
上述した処理により、遊技中に、万一、駆動モータ２０１が故障した場合、役物併用演出データ１９００（図１９参照）を用いないようにすることができ、違和感のない演出をおこなうことができる。また、駆動モータ２０１を停止させるようにしたので、駆動モータ２０１の発火など二次的なトラブルを防止することができる。また、演出の妨げにならない程度に、演出ライト部１１６または盤ランプ５６４を、所定の異常を示す点灯形式にて発光させることにより、店員に異常を報知することができる。
【０１９３】
図２２は、ランプ制御部５０２ｃがおこなう所定時間経過時の異常検出処理の処理内容を示したフローチャートである。なお、図２２に示す処理は、所定時間（たとえば４時間）経過するごとに、客待ち中におこなう試運転時の検出結果に基づいて、異常を検出する場合の処理を示している。
【０１９４】
図２２において、ランプ制御部５０２ｃのＣＰＵ５６１は、所定時間（たとえば４時間）経過したか否かを判定する（ステップＳ２２０１）。所定時間経過していない場合（ステップＳ２２０１：Ｎｏ）、処理を終了する。所定時間経過した場合（ステップＳ２２０１：Ｙｅｓ）、客待ち中であるか否かを判定する（ステップＳ２２０２）。なお、客待ち中とは、図１６のステップＳ１６１４に説明した通り、画像表示部１０４から客待ち状態を示す画面を表示させるとともに、ランプ等を消灯した状態である。
【０１９５】
客待ち中ではない場合（ステップＳ２２０２：Ｎｏ）、処理を終了する。客待ち中である場合（ステップＳ２２０２：Ｙｅｓ）、フォトセンサ２３０による駆動モータ２０１の原点位置の検知を開始する（ステップＳ２２０３）。そして、フォトセンサ２３０によって原点位置が検知されたか否かを判定する（ステップＳ２２０４）。
【０１９６】
原点位置が検知されない場合（ステップＳ２２０４：Ｎｏ）、ステップＳ２２０７に移行する。原点位置が検知された場合（ステップＳ２２０４：Ｙｅｓ）、可動演出役物１３２を試運転させるために駆動モータ２０１を所定量回転させる（ステップＳ２２０５）。この後、フォトセンサ２３０の検知結果に基づいて駆動モータ２０１が作動しているか否かを判定する（ステップＳ２２０６）。なお、駆動モータ２０１の作動の判定については、たとえば、フォトセンサ２３０によって検知されるパルスが規定のパルスであるか否かを基に判定する。この規定のパルスの一例については、図２５を用いて後述する。
【０１９７】
駆動モータ２０１が作動した場合（ステップＳ２２０６：Ｙｅｓ）、そのまま処理を終了する。駆動モータ２０１が作動しない場合（ステップＳ２２０６：Ｎｏ）、駆動モータ使用フラグをＯＦＦにする（ステップＳ２２０７）。なお、駆動モータ使用フラグをＯＦＦにするとは、駆動モータ２０１の使用を停止させることである。そして、代替演出使用フラグをＯＮにするとともに（ステップＳ２２０８）、モータ異常である旨を報知させるためのモータ異常コマンドをセットし（ステップＳ２２０９）、処理を終了する。
【０１９８】
ステップＳ２２０９にてセットしたモータ異常コマンドにより、たとえば、演出の妨げにならない程度に、演出ライト部１１６または盤ランプ５６４を、所定の異常を示す点灯形式にて発光させる。これにより、店員に異常がある旨を報知することができる。また、ステップＳ２２０９にて、セットしたモータ異常コマンドは、演出統括部５０２ａへ送信され、演出統括部５０２ａによって、役物併用演出データ１９００（図１９参照）を用いないようにした演出内容の制御がおこなわれる。
【０１９９】
上述した処理により、遊技中に、万一、駆動モータ２０１が故障した場合、役物併用演出データ１９００（図１９参照）を用いないようにすることができ、違和感のない演出をおこなうことができる。また、駆動モータ２０１を停止させるようにしたので、駆動モータ２０１の発火など二次的なトラブルを防止することができる。また、演出の妨げにならない程度に、演出ライト部１１６または盤ランプ５６４を、所定の異常を示す点灯形式にて発光させることにより、店員に異常を報知することができる。
【０２００】
図２３は、演出統括部５０２ａがおこなう通常時報知処理の処理内容を示したフローチャートである。図２３において、演出統括部５０２ａのＣＰＵ５４１は、ランプ制御部５０２ｃからモータ異常コマンドを受信したか否かを判定する（ステップＳ２３０１）。なお、モータ異常コマンドは、図２１のステップＳ２１０９、または図２２のステップＳ２２０９にてセットされたコマンドである。
【０２０１】
モータ異常コマンドを受信しない場合（ステップＳ２３０１：Ｎｏ）、そのまま処理を終了する。モータ異常コマンドを受信した場合（ステップＳ２３０１：Ｙｅｓ）、モータ異常フラグをＯＮにセットする（ステップＳ２３０２）。モータ異常フラグは、開閉扉の開放中に、モータ異常を報知させるためのフラグであり、詳細については図２４を用いて後述する。
【０２０２】
この後、代替演出データ１９２０（図１９参照）を使用するための代替演出使用フラグをＯＮにし（ステップＳ２３０３）、処理を終了する。代替演出使用フラグがＯＮのときには、役物併用演出使用フラグがＯＦＦに設定される。なお、上述したように、遊技中などの通常時においては、演出ライト部１１６または盤ランプ５６４からの報知のみとし、画像表示部１０４やスピーカ５５４を用いた異常の報知はおこなわない。一方、客待ち中の場合には、画像表示部１０４からロックの解除を促す異常を示す旨を表示させたり、スピーカ５５４から異常を示す音を出力したりしてもよい。
【０２０３】
このような処理により、遊技中に、万一、駆動モータ２０１が故障した場合、代替演出データ１９２０（図１９参照）を用いるようにすることができ、違和感のない演出をおこなうことができる。また、演出の妨げにならない程度に、演出ライト部１１６または盤ランプ５６４を、所定の異常を示す点灯形式にて発光させることにより、店員に異常を報知することができる。
【０２０４】
図２４は、演出統括部５０２ａがおこなう開閉扉処理の処理内容を示したフローチャートである。図２４において、演出統括部５０２ａのＣＰＵ５４１は、開閉扉ＳＷ５４５が
ＯＮになったか否かを判定する（ステップＳ２４０１）。なお、開閉扉ＳＷ５４５がＯＮであるとは、開閉扉が開放中であることを示している。開閉扉ＳＷ５４５がＯＮではない場合（ステップＳ２４０１：Ｎｏ）、処理を終了する。
【０２０５】
開閉扉ＳＷ５４５がＯＮであると判定した場合（ステップＳ２４０１：Ｙｅｓ）、代替演出使用フラグがＯＮであるか否かを判定する（ステップＳ２４０２）。代替演出使用フラグがＯＮである場合（ステップＳ２４０２：Ｙｅｓ）、モータ異常フラグがＯＮであるか否かを判定する（ステップＳ２４０３）。モータ異常フラグがＯＮである場合（ステップＳ２４０３：Ｙｅｓ）、モータ異常報知コマンドをセットし（ステップＳ２４０４）、処理を終了する。なお、このモータ異常報知コマンドにより、たとえば、スピーカ５５４から「モータ故障のおそれがあります」といった報知がされる。
【０２０６】
ステップＳ２４０３において、モータ異常フラグがＯＮではない場合（ステップＳ２４０３：Ｎｏ）、すなわち、ロックフラグがＯＮである場合、ロックを解除する旨のロック報知コマンドをセットし（ステップＳ２４０５）、処理を終了する。なお、このロック報知コマンドにより、たとえば、スピーカ５５４から「ロックを解除してください」といった報知がされる。
【０２０７】
ステップＳ２４０２において、代替演出使用フラグがＯＮではないと判定すると（ステップＳ２４０２：Ｎｏ）、扉が開いている旨の報知コマンドをセットし（ステップＳ２４０６）、処理を終了する。なお、この報知コマンドにより、スピーカ５５４から「扉が開いています。」といった報知がされる。なお、ステップＳ２４０４〜ステップＳ２４０６においてセットされたコマンドに基づく報知は、開閉扉ＳＷ５４５がＯＦＦになると、すなわち、開閉扉が閉鎖されると、終了する。
【０２０８】
（フォトセンサによって検知されるパルスの一例）
次に、図２５を用いて、フォトセンサ２３０によって検知されるパルスの一例について説明する。図２５は、フォトセンサ２３０によって検知されるパルスの一例を示したタイミングチャートである。
【０２０９】
図２５において、符号２５０１に示すタイミングチャートは、正常な状態を示す規定のパルスを示している。パルスＰ１，Ｐ２は、原点位置を検知していることを示している。たとえば、パルスＰ１は、作動前の最初の原点位置の検知を示している。パルスＰ１による原点位置の検知から、駆動モータ２０１を所定量回転または逆回転させて運転に要した所定時間Ｔ１が経過すると、再度原点位置に戻ることにより、パルスＰ２が出力される。
【０２１０】
一方、符号２５０２に示すタイミングチャートは、異常時のパルスの一例を示している。パルスＰ３は、原点位置を検知していることを示している。このパルスＰ３は、駆動モータ２０１を所定量回転および逆回転させる制御をおこなったにもかかわらず、駆動モータ２０１が回転せずに、常時、原点位置に位置していることを示している。すなわち、起動時においてはストッパ２２０により駆動モータ２０１の回転が規制されていることを示しており、営業中などの通常時においては駆動モータ２０１に故障のおそれがあることを示している。
【０２１１】
また、符号２５０３に示すタイミングチャートは、異常時のパルスの他の一例を示している。タイミングチャート２５０３においては、パルスが検知されていない。これは、駆動モータ２０１を所定量回転および逆回転させる制御をおこなったにもかかわらず、駆動モータ２０１が回転せずに、原点位置に位置しないことを示している。すなわち、営業中などの通常時においては駆動モータ２０１に故障のおそれがあることを示している。
【０２１２】
なお、本実施の形態において、可動演出役物１３２は、ストッパ２２０によって駆動モータ２０１の原点位置に対応する位置にて固定されるものであるため、ロックされている場合には、原点位置を示すパルスが検知されることとなる。タイミングチャート２５０３では、原点位置を示すパルスが検知されていないため、ストッパ２２０によるロックではなく、駆動モータ２０１の異常であるものと断定できる。
【０２１３】
なお、本実施の形態においては、フォトセンサ２３０を用いて駆動モータ２０１の回転状態を検出するようにしたが、駆動モータ２０１に内蔵されるパルスジェネレータによって駆動モータ２０１の回転状態を検出することも可能である。以下に、パルスジェネレータを用いた場合のパルスの一例について説明しておく。
【０２１４】
（パルスジェネレータから出力されるパルスの一例）
図２６は、起動時に駆動モータ２０１のパルスジェネレータから出力されるパルスの一例を示したタイミングチャートである。図２６において、符号２６０１に示すタイミングチャートは、正常な状態を示す規定のパルスを示している。パルスＪ１は、たとえば、駆動モータ２０１が原点位置に位置する場合に出力されるパルスを示している。パルスＪ１の検知から、駆動モータ２０１を所定量回転および逆回転させると、一定間隔ごとに、パルスＪ２〜Ｊ６が出力される。
【０２１５】
一方、符号２６０２に示すタイミングチャートは、異常時のパルスの一例を示している。タイミングチャート２６０２においては、パルスＪ７が常時検知されている。これは、駆動モータ２０１を所定量回転および逆回転させる制御をおこなったにもかかわらず、駆動モータ２０１が回転していないことを示している。すなわち、起動時においてはストッパ２２０により駆動モータ２０１の回転が規制されていることを示しており、営業中などの通常時においては駆動モータ２０１に故障のおそれがあることを示している。
【０２１６】
また、符号２６０３に示すタイミングチャートは、異常時のパルスの他の一例を示している。タイミングチャート２６０３においては、パルスが全く検知されていない。これは、駆動モータ２０１を所定量回転および逆回転させる制御をおこなったにもかかわらず、駆動モータ２０１が回転していないことを示している。すなわち、営業中などの通常時においては駆動モータ２０１に故障のおそれがあることを示している。
【０２１７】
なお、フォトセンサ２３０の場合と同様に（図２５のタイミングチャート２５０３参照）、本実施の形態において、可動演出役物１３２は、ストッパ２２０によって駆動モータ２０１の原点位置に対応する位置にて固定されるものであるため、ロックされている場合には、原点位置を示すパルスが検知されることとなる。タイミングチャート２５０３では、原点位置を示すパルスが検知されていないため、ストッパ２２０によるロックではなく、駆動モータ２０１の異常であるものと断定できる。
【０２１８】
さらに、符号２６０４に示すタイミングチャートは、異常時のパルスの他の一例を示している。パルスＪ８は通常通り検知されているが、以降にパルスが検知されていない。これは、たとえば、駆動モータ２０１が僅かに回転したものの、規定の回転とはなっていないことを示している。
【０２１９】
たとえば、駆動モータ２０１、駆動伝達軸２０２、駆動ギア２０３、従動ギア２０４などの各接合部におけるあそびや、ストッパ２２０と駆動ギア２０３との接合部におけるあそびなどにより、駆動モータ２０１が僅かに回転したものの、直ぐにその回転が規制されたことを示している。すなわち、起動時においてはストッパ２２０により駆動モータ２０１の回転が規制されていることを示しており、営業中などの通常時においては駆動モータ２０１に故障のおそれがあることを示している。
【０２２０】
（画像表示部に表示される画面の一例）
次に、図２７〜図２９を用いて、画像表示部１０４に表示される表示画面の一例について説明する。図２７は、起動時の異常報知画面としてモータ異常報知画面の一例を示した説明図である。なお、図２７に示す画面は、図１１のステップＳ１１０２においてセットされたモータ異常報知画面の出力指令に基づき、画像・音声制御部５０２ｂの制御によって出力されたモータ異常報知画面を示している。
【０２２１】
図２７において、画像表示部１０４には、モータ故障を示唆する旨が表示されている。このとき、スピーカ５５４からもモータ故障を示唆する旨を報知する。なお、この表示画面において、再検出処理（図１０参照）をおこなった際にも駆動モータ２０１に異常がある場合には、駆動モータ２０１を停止させる旨を表示したり、ギミックを用いた演出をおこなわない旨を表示したりしてもよい。図２７に示す表示画面において、再検出処理（図１０参照）をおこなった結果、たとえば、駆動モータ２０１の異常が解除され、ロックのかかっている状態が検出された場合には図２８に示す画面に移行し、正常に初期運転がおこなわれた場合には図２９に示す画面に移行する。
【０２２２】
図２８は、起動時の異常報知画面としてロック解除報知画面の一例を示した説明図である。なお、図２８に示す画面は、図１１のステップＳ１１０５においてセットされたロック解除報知画面の出力指令に基づき、画像・音声制御部５０２ｂの制御によって出力されたロック解除報知画面を示している。
【０２２３】
図２８において、画像表示部１０４には、ギミック（演出役物１３０）のストッパ（固定演出役物１３１）のロック解除を促す旨が表示されている。このとき、スピーカ５５４からもロック解除を促す旨を報知する。なお、この表示画面において、ロックが解除されない場合には、駆動モータ２０１を停止させる旨を表示したり、ギミックを用いた演出をおこなわない旨を表示したりしてもよい。図２８に示す表示画面において、店員等の操作者によって固定演出役物１３１が引出操作され、ロックが解除され、駆動モータ２０１に異常がなく正常に初期運転がおこなわれると図２９に示す画面に移行する。
【０２２４】
図２９は、正常画面の一例を示した説明図である。なお、図２９に示す画面は、図１１のステップＳ１１０７においてセットされた正常画面の出力指令に基づき、画像・音声制御部５０２ｂの制御によって出力された正常画面を示している。図２９において、画像表示部１０４には、ギミック（演出役物１３０）のストッパ（固定演出役物１３１）のロックが解除され、またはモータ故障等の異常がない旨が表示されている。なお、起動時に初めから異常がない場合、図２７および図２８に示した画面を表示させずに図２９に示した画面を表示させる。
【０２２５】
以上説明したように、本実施の形態によれば、初期運転時に駆動モータ２０１が停止状態を保持している場合に、異常時の原因として可動演出役物１３２がロックされている旨を報知するようにしたので、電源投入直後にロックの解除を促すことができる。したがって、遊技機本来の演出をおこなうことができるとともに、駆動モータの故障を抑止することができる。
【０２２６】
また、本実施の形態では、初期運転時に駆動モータ２０１が原点位置にて停止状態を保持している場合に、可動演出役物１３２がロックされている旨を報知するようにした。したがって、可動演出役物１３２に対するロックとして異常時の原因をより的確に検出できるとともに、当該原因を報知することができる。
【０２２７】
また、本実施の形態では、試運転後にロックが解除されていることを前提とし、可動演出役物１３２の演出動作時や、試運転などの動作確認時に、駆動モータ２０１が原点位置にて停止状態を保持している場合に、異常時の原因として駆動モータ２０１などの異常を報知するようにしたので、可動演出役物１３２に対するメンテナンスを促すことができる。したがって、ぱちんこ遊技機１００を正常な状態に迅速に復帰させることを可能にし、ぱちんこ遊技機１００本来の演出をおこなうことが可能になる。
【０２２８】
また、本実施の形態では、駆動手段が停止状態を保持している場合に、駆動モータ２０１の駆動を停止させるようにしたので、駆動モータ２０１への過負荷や過電流等を抑止することができる。したがって、火災などの二次的なトラブルを抑止することができる。
【０２２９】
また、本実施の形態によれば、駆動モータ２０１の回転状態または位置に異常がある場合に、可動演出役物１３２を用いた演出をおこなわないようにしたので、違和感のない演出をおこなうことができる。また、可動演出役物１３２を用いた演出をおこなわないようにしたので、駆動モータ２０１への過負荷を抑止でき、よって、駆動モータ２０１の故障を防止することができる。
【０２３０】
特に、本実施の形態では、駆動モータ２０１の回転状態に異常がある場合に、可動演出役物１３２の動作演出をおこなわない代替演出データ１９２０を用いた演出をおこなうようにしたので、演出のバリエーションが低下することを抑止することができる。したがって、趣向性を損なうことのない演出をおこなうことができる。
【０２３１】
また、本実施の形態によれば、演出動作時または試運転時など所定のタイミングにておこなう動作確認において、駆動モータ２０１の回転状態に異常がある場合に、可動演出役物１３２を用いた演出をおこなわないように設定することができる。すなわち、遊技に差し支えのないタイミングにて、可動演出役物１３２を用いた演出をおこなわないように設定することができる。
【０２３２】
また、本実施の形態によれば、遊技盤１０１を覆う開閉扉の開放時に、音声により異常を示す旨を報知させるようにしたので、店員が点検をおこなう際などに可動演出役物１３２に対するストッパ２２０のロックの解除を促すことができる。
【０２３３】
また、本実施の形態によれば、盤面に付設されたストッパ２２０をスライドさせることにより、可動演出役物１３２に対するロックまたはロックの解除をおこなうようにしたので、ストッパ２２０の紛失を防止でき、再度のロックを簡単におこなうことができる。さらに、このような構成によれば、ストッパ２２０の装着時または取り外し時に、ストッパ２２０の接触に伴って遊技盤１０１の表面を傷つけてしまうといったことを抑止することができる。
【０２３４】
また、本実施の形態では、固定演出役物１３１とストッパ２２０とを一体化し、固定演出役物１３１を押入操作することにより可動演出役物１３２をロックすることができる一方、固定演出役物１３１を引出操作することにより可動演出役物１３２のロックを解除するようにした。したがって、簡単な操作にて容易に可動演出役物１３２に対するロックまたはロックの解除をおこなうことができる。
【０２３５】
なお、本実施の形態によれば、係止部３０１を駆動ギア２０３に係止させるようにしたので、確実に可動演出役物１３２をロックさせることができる。なお、係止部３０１を従動ギア２０４に係止させることにより、可動演出役物１３２をロックさせることは可能である。
【０２３６】
なお、本実施の形態においては、ぱちんこ遊技機１００によって本発明の遊技機を実現した場合について説明したが、盤面上を可動にして所定の演出をおこなう可動演出役物１３２を備えたものであれば、回動式遊技機によっても本発明の遊技機を実現することが可能である。また、ぱちんこ遊技機１００は、可動演出役物１３２を備えたものであれば、いわゆる、第一種、第二種などの種別を問わない。
【０２３７】
なお、実施の形態で説明した状態報知方法は、予め用意された状態報知プログラムを演出制御部に設けたＣＰＵなどのコンピュータで実行することにより実現することができる。この演出制御プログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。また、この状態報知プログラムは、インターネットなどのネットワークを介して配布することが可能な媒体であってもよい。
【図面の簡単な説明】
【０２３８】
【図１】実施の形態にかかるぱちんこ遊技機の一例を示す正面図である。
【図２−１】演出役物の分解斜視図である。
【図２−２】演出役物の組立斜視図である。
【図３−１】可動演出役物がロックされている状態を示した断面図である。
【図３−２】図３−１のＢ方向から見た駆動ギアの正面図である。
【図３−３】可動演出役物がロックされていない状態を示した断面図である。
【図４−１】通常時における演出役物の状態を示した説明図である。
【図４−２】演出時に可動演出役物が移動した際の演出役物の状態を示した説明図である。
【図５】実施の形態にかかるぱちんこ遊技機の制御部の内部構成を示すブロック図である。
【図６】本実施の形態にかかるぱちんこ遊技機の機能的構成を示した説明図である。
【図７】主制御部が実行するメイン処理の処理内容を示すフローチャートである。
【図８】演出統括部がおこなう異常検出開始処理の処理内容を示したフローチャートである。
【図９】ランプ制御部がおこなう初期設定時異常検出処理の処理内容を示したフローチャートである。
【図１０】ランプ制御部がおこなう再検出処理の処理内容を示したフローチャートである。
【図１１】演出統括部がおこなう初期設定時報知処理の処理内容を示したフローチャートである。
【図１２】主制御部が実行するタイマ割込処理の処理内容を示すフローチャートである。
【図１３】特別図柄処理の処理内容を示すフローチャートである。
【図１４】大入賞口処理の処理内容を示すフローチャートである。
【図１５】演出制御部が実行するメイン処理を示したフローチャートである。
【図１６】コマンド受信処理を示したフローチャートである。
【図１７】演出選択処理を示したフローチャートである。
【図１８】演出パターン選択処理を示すフローチャートである。
【図１９】演出統括部のＲＡＭに記憶される演出用データの一例を示した説明図である。
【図２０】当たり演出選択処理を示したフローチャートである。
【図２１】ランプ制御部がおこなう演出中の異常検出処理の処理内容を示したフローチャートである。
【図２２】ランプ制御部がおこなう所定時間経過時の異常検出処理の処理内容を示したフローチャートである。
【図２３】演出統括部がおこなう通常時報知処理の処理内容を示したフローチャートである。
【図２４】演出統括部がおこなう開閉扉処理の処理内容を示したフローチャートである。
【図２５】フォトセンサによって検知されるパルスの一例を示したタイミングチャートである。
【図２６】起動時に駆動モータのパルスジェネレータから出力されるパルスの一例を示したタイミングチャートである。
【図２７】起動時の異常報知画面としてモータ異常報知画面の一例を示した説明図である。
【図２８】起動時の異常報知画面としてロック解除報知画面の一例を示した説明図である。
【図２９】正常画面の一例を示した説明図である。
【符号の説明】
【０２３９】
１００  ぱちんこ遊技機（遊技機）
１０４  画像表示部
１３０  演出役物
１３１  固定演出役物
１３２  可動演出役物
２００  駆動系
２０１  駆動モータ（駆動手段）
２０３  駆動ギア
２０４  従動ギア
２０６  スリット
２２０  ストッパ
２２１  突起部
２２２  摺動溝
２３０  フォトセンサ（検知手段）
３０１  係止部
３０２  ガイドレール
５０２  演出制御部（演出制御手段）
５０２ａ  演出統括部
５０２ｂ  画像・音声制御部
５０２ｃ  ランプ制御部
５５４  スピーカ
６０１  検知部（検知手段）
６０２  駆動制御部（駆動制御手段）
６０３  状態検出部（状態検出手段）
【図１】
2010142513.tif 000003
【図２−１】
2010142513.tif 000004
【図２−２】
2010142513.tif 000005
【図３−１】
2010142513.tif 000006
【図３−２】
2010142513.tif 000007
【図３−３】
2010142513.tif 000008
【図４−１】
2010142513.tif 000009
【図４−２】
2010142513.tif 000010
【図５】
2010142513.tif 000011
【図６】
2010142513.tif 000012
【図７】
2010142513.tif 000013
【図８】
2010142513.tif 000014
【図９】
2010142513.tif 000015
【図１０】
2010142513.tif 000016
【図１１】
2010142513.tif 000017
【図１２】
2010142513.tif 000018
【図１３】
2010142513.tif 000019
【図１４】
2010142513.tif 000020
【図１５】
2010142513.tif 000021
【図１６】
2010142513.tif 000022
【図１７】
2010142513.tif 000023
【図１８】
2010142513.tif 000024
【図１９】
2010142513.tif 000025
【図２０】
2010142513.tif 000026
【図２１】
2010142513.tif 000027
【図２２】
2010142513.tif 000028
【図２３】
2010142513.tif 000029
【図２４】
2010142513.tif 000030
【図２５】
2010142513.tif 000031
【図２６】
2010142513.tif 000032
【図２７】
2010142513.tif 000033
【図２８】
2010142513.tif 000034
【図２９】
2010142513.tif 000035